(57)【要約】干渉波ピークが自セルに割り当てられた巡回シフト系列の検出窓に入ることを防止し、基地局におけるチャネル推定精度を向上させる無線通信端末装置、無線通信基地局装置及び無線通信方法を開示する。フレーム同期が確立した全てのセル及び各端末の送信帯域幅に対して基準となる周波数を設定し、この周波数を基準点として、参照信号生成部（１０８）の位相回転付加部（１１０）は、基準点と参照信号の送信帯域の周波数差δに相当する位相回転を周波数領域において参照信号となるＺＣ系列に付加する。位相回転が付加されたＺＣ系列は、多重化部（１１４）において送信データと多重され、多重信号が送信ＲＦ部（１１５）から送信される。
2008136184.tif 000002
【特許請求の範囲】
【請求項１】
予め設定された周波数を基準点とし、前記基準点と自装置から送信される参照信号の送信帯域との周波数差δに相当する位相回転又は巡回シフトをＺａｄｏｆｆ−Ｃｈｕ系列に付加する付加手段と、
位相回転又は巡回シフトが付加された前記Ｚａｄｏｆｆ−Ｃｈｕ系列を参照信号として送信する送信手段と、
を具備する無線通信端末装置。
【請求項２】
前記付加手段は、位相回転又は巡回シフトを周波数領域において前記Ｚａｄｏｆｆ−Ｃｈｕ系列に付加する請求項１に記載の無線通信端末装置。
【請求項３】
前記付加手段は、位相回転又は巡回シフトを時間領域において前記Ｚａｄｏｆｆ−Ｃｈｕ系列に付加する請求項１に記載の無線通信端末装置。
【請求項４】
予め設定された周波数を基準点とし、前記基準点と無線通信端末装置に割り当てた参照信号の送信帯域との周波数差δに相当する移相回転又は巡回シフトが加えられたＺａｄｏｆｆ−Ｃｈｕ系列を用いて、受信信号に含まれる参照信号を除算し、相関値を算出する除算手段と、
算出された相関値のうち、所望の系列の相関値が存在する区間の相関値を抽出する抽出手段と、
を具備する無線通信基地局装置。
【請求項５】
予め設定された周波数を基準点とし、前記基準点と無線通信端末装置から送信する参照信号の送信帯域との周波数差δに相当する位相回転又は巡回シフトをＺａｄｏｆｆ−Ｃｈｕ系列に付加する付加工程と、
位相回転又は巡回シフトが付加された前記Ｚａｄｏｆｆ−Ｃｈｕ系列を参照信号として無線通信端末装置から送信する送信工程と、
前記Ｚａｄｏｆｆ−Ｃｈｕ系列を用いて、受信信号に含まれる参照信号を除算し、相関値を算出する除算工程と、
算出された相関値のうち、所望の系列の相関値が存在する区間の相関値を抽出する抽出工程と、
を具備する無線通信方法。
【発明の詳細な説明】
【技術分野】
【０００１】  本発明は、Ｚａｄｏｆｆ−Ｃｈｕ系列などのＣＡＺＡＣ（Ｃｏｎｓｔａｎｔ  Ａｍｐｌｉｔｕｄｅ  ａｎｄ  Ｚｅｒｏ  Ａｕｔｏ−ｃｏｒｒｅｌａｔｉｏｎ  Ｃｏｄｅ）系列を参照信号に用いる無線通信端末装置、無線通信基地局装置及び無線通信方法に関する。
【背景技術】
【０００２】  ３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ−ｔｅｒｍ  Ｅｖｏｌｕｔｉｏｎ）において、上りチャネル推定用参照信号としてＺａｄｏｆｆ−Ｃｈｕ系列（以下、「ＺＣ系列」という）が採択された。このＺＣ系列はＣＡＺＡＣ系列の一種であり、時間領域で表記すると以下の式（１）で表される。
【数１】
2008136184.tif 000003
ここで、Ｎは系列長、ｒは時間領域でのＺＣ系列番号であり、Ｎとｒは互いに素である。また、ｐは任意の整数（一般的には、ｐ＝０）を表す。以下において、系列長Ｎが奇数の場合について説明するが、偶数の場合も同様に適用できる。【０００３】  式（１）のＺＣ系列を時間領域で巡回シフトすることにより得られる巡回シフトＺＣ系列、あるいはＺＣ−ＺＣＺ（Ｚａｄｏｆｆ−Ｃｈｕ  Ｚｅｒｏ  Ｃｏｒｒｅｌａｔｉｏｎ  Ｚｏｎｅ）系列は、次の式（２）で表される。
【数２】
2008136184.tif 000004
ここで、ｍは巡回シフト番号、Δは巡回シフト量を表す。±の符号はいずれであってもよい。さらに、式（１）の時間領域ＺＣ系列をフーリエ変換により周波数領域に変換した系列もＺＣ系列となるため、ＺＣ系列を周波数領域で表記すると次の式（３）で表される。
【数３】
2008136184.tif 000005
ここで、Ｎは系列長、ｕは周波数領域でのＺＣ系列番号であり、Ｎとｕは互いに素である。また、ｑは任意の整数（一般的には、ｑ＝０）を表す。同様に、式（２）の時間領域でのＺＣ−ＺＣＺ系列を周波数領域で表記すると、巡回シフトと位相回転がフーリエ変換対の関係にあることから、次の式（４）で表される。
【数４】
2008136184.tif 000006
ここで、Ｎは系列長、ｕは周波数領域でのＺＣ系列番号であり、Ｎとｕは互いに素である。また、ｍは巡回シフト番号、Δは巡回シフト量、ｑは任意の整数（一般的には、ｑ＝０）を表す。【０００４】  以下では、式（４）に示した周波数領域表記の巡回シフトＺＣ系列（ＺＣ−ＺＣＺ系列）を用いて説明する。【０００５】  このＺＣ系列では、系列番号（ｕ）の異なる系列、巡回シフト量（Δｍ）の異なる系列の２種類を参照信号に利用することができる（図１参照）。これら系列番号の異なるＺＣ系列間は準直交（相関が低く、ほぼ直交）の関係が成り立ち、巡回シフト量の異なる系列間は直交の関係が成り立つため、系列間の相互相関特性がよい。なお、巡回シフト量の異なる系列は、ＣＡＺＡＣ系列の性質上、フレーム同期が確立したセル間で直交の関係を成立させることが容易である。【０００６】  非特許文献１及び非特許文献２には、系列のリユースファクタを増加させることを目的として、図２に示すように、フレーム同期が確立しているセル間（例えば、同一基地局に属するセル）に同一系列番号（ｕ）の異なる巡回シフト系列（ｍ）を割り当てることが提案されている（方法１）。例えば、フレーム間同期が確立したセルでは、同一系列番号ｕ＝３のＺＣ系列を利用し、セル＃１では巡回シフト番号ｍ＝１，２を、セル＃２では巡回シフト番号ｍ＝３，４を、セル＃３では巡回シフト番号ｍ＝５，６を利用する。【０００７】  受信側では、割り当てられた巡回シフト番号に応じた検出範囲（検出窓）を備え、検出窓から外れた信号を除去することにより、図３に示すように、自セルの信号を受信信号から分離することができる。すなわち、セル＃１では、巡回シフト番号ｍ＝１，２の検出窓のみを取り出すことによって、自セルの信号を受信信号から分離する。なお、各端末から送信される参照信号が同一送信帯域及び同一時間に送信される場合、各参照信号に異なる巡回シフト番号（ｍ）が設定されていれば各信号の分離が可能である。【０００８】  ＺＣ系列は、上述したように、系列番号の異なるＺＣ系列間では準直交の関係が成り立つものの、系列長が異なるＺＣ系列において、相互相関が高い系列番号の組合せが存在することが知られている。例えば、系列番号（ｕ）と系列長（Ｎ）の比（ｕ／Ｎ）が近い系列の相互相関が高い。このような関係の系列が隣接セルで利用されると、自セルの検出範囲内に大きな干渉ピークが発生する可能性があり、基地局はいずれのセル内の端末から送信された参照信号であるか区別することができないため、チャネル推定結果に誤りが生じる。そこで、非特許文献３及び非特許文献４には、隣接セルからの干渉を軽減することを目的として、図４に示すように、相互相関が高い系列を同一セルに割り当てるグルーピング方法が提案されている（方法２）。この相互相関が高い系列番号をグループとして同じセルに割り当てることにより、隣接セルで相互相関の高い系列番号の利用を避けることができる。
【非特許文献１】Ｍｏｔｏｒｏｌａ、Ｒ１−０６２６１０、“Ｕｐｌｉｎｋ  Ｒｅｆｅｒｅｎｃｅ  Ｓｉｇｎａｌ  Ｍｕｌｔｉｐｌｅｘｉｎｇ  Ｓｔｒｕｃｔｕｒｅｓ  ｆｏｒ  Ｅ−ＵＴＲＡ”、３ＧＰＰ  ＴＳＧ  ＲＡＮ  ＷＧ１Ｍｅｅｔｉｎｇ  ＃４６ｂｉｓ、Ｓｏｕｌ，Ｋｏｒｅａ，Ｏｃｔ．９−１３、２００６
【非特許文献２】Ｐａｎａｓｏｎｉｃ、Ｒ１−０６３１８３、“Ｎａｒｒｏｗ  ｂａｎｄ  ｕｐｌｉｎｋ  ｒｅｆｅｒｅｎｃｅ  ｓｉｇｎａｌ  ｓｅｑｕｅｎｃｅｓ  ａｎｄ  ａｌｌｏｃａｔｉｏｎ  ｆｏｒ  Ｅ−ＵＴＲＡ”、３ＧＰＰ  ＴＳＧ  ＲＡＮ  ＷＧ１Ｍｅｅｔｉｎｇ  ＃４７、Ｒｉｇａ，Ｌａｔｃｉａ、Ｎｏｖｅｍｂｅｒ．６−１０、２００６
【非特許文献３】Ｈｕａｗｅｉ、Ｒ１−０６３３５６、“Ｓｅｑｕｅｎｃｅ  Ａｓｓｉｇｎｍｅｎｔ  ｆｏｒ  Ｕｐｌｉｎｋ  Ｒｅｆｅｒｅｎｃｅ  Ｓｉｇｎａｌ”、３ＧＰＰ  ＴＳＧ  ＲＡＮ  ＷＧ１Ｍｅｅｔｉｎｇ  ＃４７、Ｒｉｇａ．Ｌａｔｖｉａ，Ｎｏｖ．６−１０、２００６
【非特許文献４】ＬＧＥ、Ｒ１−０７０９１１、“Ｂｉｎｄｉｎｇ  ｍｅｔｈｏｄ  ｆｏｒ  ＵＬ  ＲＳ  ｓｅｑｕｅｎｃｅ  ｗｉｔｈ  ｄｉｆｆｅｒｅｎｔ  ｌｅｎｇｔｈｓ”、３ＧＰＰ  ＴＳＧ  ＲＡＮ  ＷＧ１Ｍｅｅｔｉｎｇ  ＃４８、Ｓｔ．Ｌｏｕｉｓ，ＵＳＡ，Ｆｅｂ．１２−１６、２００７
【発明の開示】
【発明が解決しようとする課題】
【０００９】  しかしながら、上述した方法１及び方法２を同時に適用すると、同期が確立したセル間で干渉が生じる。同期が確立したセルでは、同じ系列番号の異なる巡回シフト系列を利用する一方、同一セル内におけるＺＣ系列の各帯域幅では相互相関の高い系列番号を割り当てる（図５参照）。このとき、隣接セルから到来する干渉波の相関ピーク（干渉波ピーク）は予め設定された巡回シフト系列の検出窓（希望波ピークの検出窓）に発生する可能性は低く、この干渉波ピークが自セルに割り当てられた巡回シフト系列の検出窓に入ると、基地局におけるチャネル推定精度が大きく劣化する（図６参照）。【００１０】  この理由として、各セル及び各送信帯域幅で異なる基準点を用いて、巡回シフト系列が割り当てられていることが挙げられる。すなわち、セル毎に割り当てられたＲＢ送信帯域の帯域幅（ＲＢ数）のみを基準として巡回シフト系列が生成される。このため、隣接セルのＲＢ送信帯域が異なる場合、相関演算時に系列間の相対的な関係が崩れ、干渉波ピークが希望波ピークの検出窓に発生する。干渉波ピークが希望波ピークの検出窓に発生した場合、希望波と干渉波の遅延プロファイルを分離することができないため、チャネル推定精度が劣化してしまう。【００１１】  ここで、ＲＢ送信帯域とは、ある時点において送信局に対しＺＣ系列データ送信に割り当てられる周波数帯域であり、ＲＢ（Ｒｅｓｏｕｒｃｅ  Ｂｌｏｃｋ）とは１つあるいは１つ以上のサブキャリアで構成される周波数領域の帯域割当単位である。【００１２】  また、セル間で同じ帯域幅のＲＢ送信帯域に異なる巡回シフトＺＣ系列が割り当てられた場合、この巡回シフトＺＣ系列間においても同様の問題が生じる。つまり、干渉波の相関値ピークがあらかじめ時間領域で設定されたシフト量とは異なる位置に発生し、希望波のチャネル推定精度が劣化してしまう。【００１３】  本発明の目的は、干渉波ピークが自セルに割り当てられた巡回シフト系列の検出窓に入ることを防止し、基地局におけるチャネル推定精度を向上させる無線通信端末装置、無線通信基地局装置及び無線通信方法を提供することである。
【課題を解決するための手段】
【００１４】  本発明の無線通信端末装置は、予め設定された周波数を基準点とし、前記基準点と自装置から送信される参照信号の送信帯域との周波数差δに相当する位相回転又は巡回シフトをＺａｄｏｆｆ−Ｃｈｕ系列に付加する付加手段と、位相回転又は巡回シフトが付加された前記Ｚａｄｏｆｆ−Ｃｈｕ系列を参照信号として送信する送信手段と、を具備する構成を採る。【００１５】  本発明の無線通信基地局装置は、予め設定された周波数を基準点とし、前記基準点と無線通信端末装置に割り当てた参照信号の送信帯域との周波数差δに相当する位相回転又は巡回シフトが加えられたＺａｄｏｆｆ−Ｃｈｕ系列を用いて、受信信号に含まれる参照信号を除算し、相関値を算出する除算手段と、算出された相関値のうち、所望の系列の相関値が存在する区間の相関値を抽出する抽出手段と、を具備する構成を採る。【００１６】  本発明の無線通信方法は、予め設定された周波数を基準点とし、前記基準点と無線通信端末装置から送信する参照信号の送信帯域との周波数差δに相当する位相回転又は巡回シフトをＺａｄｏｆｆ−Ｃｈｕ系列に付加する付加工程と、位相回転又は巡回シフトが付加された前記Ｚａｄｏｆｆ−Ｃｈｕ系列を参照信号として無線通信端末装置から送信する送信工程と、前記Ｚａｄｏｆｆ−Ｃｈｕ系列を用いて、受信信号に含まれる参照信号を除算し、相関値を算出する除算工程と、算出された相関値のうち、所望の系列の相関値が存在する区間の相関値を抽出する抽出工程と、を具備するようにした。
【発明の効果】
【００１７】  本発明によれば、干渉波ピークが自セルに割り当てられた巡回シフト系列の検出窓に入ることを防止し、基地局におけるチャネル推定精度を向上させることができる。
【図面の簡単な説明】
【００１８】
【図１】参照信号に利用可能なＺＣ系列を示す図
【図２】同一系列番号の異なる巡回シフト系列を割り当てる様子を示す図
【図３】巡回シフト番号に応じた検出範囲及び自セルの信号を受信信号から分離する様子を示す図
【図４】非特許文献３及び非特許文献４に記載された系列のグルーピング方法を示す図
【図５】同期が確立したセルにおいて、相互相関の高い系列番号を割り当てる方法を説明するための図
【図６】干渉波ピークが自セルに割り当てられた巡回シフト系列の検出窓に発生する様子を示す図
【図７】本発明の実施の形態１及び６に係る端末の構成を示すブロック図
【図８】基準点からδサブキャリア離れたＺＣ系列の送信帯域を示す図
【図９】本発明の実施の形態１及び６に係る基地局の構成を示すブロック図
【図１０】希望波がセル＃１から送信され、干渉波がセル＃２から送信される様子を示す図
【図１１】干渉波ピークを希望波の検出窓外に発生させる様子を示す図
【図１２】希望波及び干渉波の割当位置を示す図
【図１３】図７に示した参照信号生成部の他の内部構成を示すブロック図
【図１４】本発明の実施の形態２及び７に係る端末の構成を示すブロック図
【図１５】図１４に示した参照信号生成部の他の内部構成を示すブロック図
【図１６】本発明の実施の形態３及び８に係る端末の構成を示すブロック図
【図１７】本発明の実施の形態４及び９に係る端末の構成を示すブロック図
【図１８】巡回拡張の説明図
【図１９】実施の形態１の巡回拡張部及びトランケーション部を含めたブロック図
【図２０】実施の形態１の巡回拡張部及びトランケーション部を含めたブロック図
【図２１】トランケーションの説明図
【図２２】実施の形態２の巡回拡張部及びトランケーション部を含めたブロック図
【図２３】実施の形態３の巡回拡張部及びトランケーション部を含めたブロック図
【図２４】実施の形態３の巡回拡張部及びトランケーション部を含めたブロック図
【図２５】実施の形態４の巡回拡張部及びトランケーション部を含めたブロック図
【図２６】各セルにおいて異なる巡回シフト系列が用いられる場合、隣接セルにおいて異なる送信帯域でＺＣ系列が送信される様子を示す図
【図２７】フレーム同期が確立する全てのセル及び各送信帯域幅で設定する同一の基準点を示す図
【図２８Ａ】実施の形態３における巡回拡張を示す図
【図２８Ｂ】実施の形態３における巡回拡張を示す図
【図２９Ａ】実施の形態３におけるトランケーションを示す図
【図２９Ｂ】実施の形態３におけるトランケーションを示す図
【図３０】送信するＺＣ系列の係数とサブキャリアとの関係を示す図
【発明を実施するための最良の形態】
【００１９】  以下、本発明の実施の形態について、図面を参照して詳細に説明する。【００２０】  （実施の形態１）
本発明の実施の形態１に係る端末１００の構成について、図７を用いて説明する。受信ＲＦ１０２部は、アンテナ１０１を介して受信した信号にダウンコンバート、Ａ／Ｄ変換等の受信処理を施し、受信処理を施した信号を復調部１０３に出力する。復調部１０３は、受信ＲＦ部１０２から出力された信号に等化処理、復調処理を施し、これらの処理を施した信号を復号部１０４に出力する。復号部１０４は、復調部１０３から出力された信号に復号処理を施し、データ信号及び制御情報を抽出する。また、抽出された制御情報のうち、ＲＢ（Ｒｅｓｏｕｒｃｅ  Ｂｌｏｃｋ）割当情報が参照信号生成部１０８の位相回転付加部１１０及びマッピング部１１１に出力される。【００２１】  符号化部１０５は、送信データを符号化し、符号化データを変調部１０６に出力する。変調部１０６は、符号化部１０５から出力された符号化データを変調し、変調信号をＲＢ割当部１０７に出力する。ＲＢ割当部１０７は、変調部１０６から出力された変調信号をＲＢに割り当て、ＲＢに割り当てた変調信号を多重化部１１４に出力する。【００２２】  参照信号生成部１０８は、ＤＦＴ部１０９、位相回転付加部１１０、マッピング部１１１、ＩＦＦＴ部１１２、巡回シフト部１１３を備えており、復号部１０４から出力されたＲＢ割当情報に基づいて、ＺＣ系列から参照信号を生成し、生成した参照信号を多重化部１１４に出力する。以下、参照信号生成部１０８の内部構成について説明する。【００２３】  ＤＦＴ部１０９は、ＺＣ系列を生成するＺＣ系列生成部（図示せぬ）から出力されたＺＣ系列にＤＦＴ処理を施し、時間領域から周波数領域の信号に変換し、周波数領域に変換したＺＣ系列を位相回転付加部１１０に出力する。ここで、図示せぬＺＣ系列生成部は、復号部１０４で抽出された制御情報のうち、ＲＢ割当情報を用いて送信帯域幅を特定し、送信帯域幅に対応するＺＣ系列長Ｎを特定する。また、復号部１０４で抽出された制御情報のうち、所属するセルに割り当てられた系列番号を表す情報を用いて系列番号を特定する。これらの系列長及び系列番号を用いて、ＺＣ系列生成部はＺＣ系列を生成し、ＤＦＴ部１０９に出力する。【００２４】  なお、ＺＣ系列のフーリエ変換対はＺＣ系列に写像される関係にあるため、以下の説明では、直接周波数領域で生成されるＺＣ系列を用いて説明する。つまり、ＤＦＴ部１０９から出力される巡回シフトを含まないＺＣ系列は、式（３）で表され、ＤＦＴ部１０９の前段に巡回シフト部１１３が存在する構成ではＤＦＴ部１０９から出力された信号が式（４）となる。【００２５】  位相回転付加部１１０は、システム帯域内で便宜的に定めた周波数を基準点としたとき、基準点と参照信号の送信帯域との周波数差δに相当する位相回転をＤＦＴ部１０９から出力されたＺＣ系列に付加し、位相回転を付加したＺＣ系列をマッピング部１１１に出力する。【００２６】  なお、基準点となる周波数はサブキャリアと読み替えることができ、また、基準点となる周波数は複数のセル間で共通の値を用いる。【００２７】  マッピング部１１１は、復号部１０４から出力されたＲＢ割当情報に基づいて、位相回転付加部１１０から出力されたＺＣ系列を端末１００の送信帯域に対応した帯域にマッピングし、マッピングしたＺＣ系列をＩＦＦＴ部１１２に出力する。ＩＦＦＴ部１１２は、マッピング部１１１から出力されたＺＣ系列にＩＦＦＴ（Ｉｎｖｅｒｓｅ  Ｆａｓｔ  Ｆｏｕｒｉｅｒ  Ｔｒａｎｓｆｏｒｍ）処理を施し、ＩＦＦＴ処理を施したＺＣ系列を巡回シフト部１１３に出力する。【００２８】  巡回シフト部１１３は、ＩＦＦＴ部１１２から出力されたＺＣ系列を所定のシフト量分巡回シフトし、巡回シフトしたＺＣ系列を参照信号として多重化部１１４に出力する。シフト量は、例えば、基地局から通知される制御情報を用いて特定する。【００２９】  多重化部１１４は、ＲＢ割当部１０７から出力された送信データ（変調信号）と巡回シフト部１１３から出力されたＺＣ系列（参照信号）とを時間多重し、多重信号を送信ＲＦ部１１５に出力する。なお、多重化部１１４における多重化方法は、時間多重に限らず、周波数多重、符号多重、複素空間上のＩＱ多重であってもよい。【００３０】  送信ＲＦ部１１５は、多重化部１１４から出力された多重信号にＤ／Ａ変換、アップコンバート、増幅等の送信処理を施し、送信処理を施した信号をアンテナ１０１から無線送信する。【００３１】  ここで、参照信号生成部１０８においてＺＣ系列に位相回転を付加する理由について説明する。まず、図８に示すように、ＺＣ系列の送信帯域を基準点からδサブキャリア離れた位置とすると、基準点を考慮したＺＣ系列は周波数領域において以下の式（５）で表される。
【数５】
2008136184.tif 000007
【００３２】  上式（５）において、Ｎは系列長（素数）であり、ｋはサブキャリア番号（ｋ＝０，１，２，．．．，Ｎ−１）である。また、上式（５）において、右辺の第１項は送信帯域を考慮しないＺＣ系列（式（４）で表したＦｕ，ｍ（ｋ））を表し、ピーク位置は初期設定の巡回シフト量に対応して決定される。また、第２項はサブキャリアｋに依存しない定数項であり、ピーク位置を移動させる要素ではない。さらに、第３項は送信帯域に依存する位相回転の項であり、この第３項によって、相関演算で利用する自セルのＺＣ系列の要素と、隣接セルのＺＣ系列の要素とが、異なる帯域に割り当てられる場合でも、これらのＺＣ系列を同じ関係に保つことができる。なお、第３項の位相回転項は自端末の送信帯域、系列番号、系列長に依存するものであり、他の端末の送信帯域等に依存するものではない。つまり、端末は上式（５）における右辺の第１項及び第３項を送信すればよい。例えば、以下の式（６）のように第１項に第３項の位相回転を付加して送信する。
【数６】
2008136184.tif 000008
【００３３】  なお、上式（５）の右辺の定数項（第２項）を付加して送信してもよい。また、付加する定数項は上記に限定する必要はない。また、基準点と端末１００から送信する参照信号の送信帯域との周波数差に相当するδを利用して、式（４）の左辺のｋにｋ＋δを代入して送信してもよい。【００３４】  なお、上式（５）における第３項の位相回転項は自端末の送信帯域、系列番号、系列長に依存するものであり、他の端末の送信帯域等に依存するものではない。【００３５】  次に、本発明の実施の形態１に係る基地局１５０の構成について、図９を用いて説明する。符号化部１５１は、送信データ及び制御信号を符号化し、符号化データを変調部１５２に出力する。変調部１５２は、符号化データを変調し、変調信号を送信ＲＦ部１５３に出力する。送信ＲＦ部１５３は、変調信号にＤ／Ａ変換、アップコンバート、増幅等の送信処理を施し、送信処理を施した信号をアンテナ１５４から無線送信する。【００３６】  受信ＲＦ部１５５は、アンテナ１５４を介して受信した信号にダウンコンバート、Ａ／Ｄ変換等の受信処理を施し、受信処理を施した信号を分離部１５６に出力する。【００３７】  分離部１５６は、受信ＲＦ部１５５から出力された信号を参照信号と、データ信号及び制御信号とに分離し、分離した参照信号をＤＦＴ（Ｄｉｓｃｒｅｔｅ  Ｆｏｕｒｉｅｒ  Ｔｒａｎｓｆｏｒｍ）部１５７に、データ信号及び制御信号をＤＦＴ部１６４にそれぞれ出力する。【００３８】  ＤＦＴ部１５７は、分離部１５６から出力された参照信号にＤＦＴ処理を施し、時間領域から周波数領域の信号に変換し、周波数領域に変換した参照信号を伝搬路推定部１５８のデマッピング部１５９に出力する。【００３９】  伝搬路推定部１５８は、デマッピング部１５９、除算部１６０、ＩＦＦＴ（Ｉｎｖｅｒｓｅ  Ｆａｓｔ  Ｆｏｕｒｉｅｒ  Ｔｒａｎｓｆｏｒｍ）部１６１、マスク処理部１６２、ＤＦＴ部１６３を備え、ＤＦＴ部１５７から出力された参照信号に基づいて、伝搬路を推定する。以下、伝搬路推定部１５８の内部構成について具体的に説明する。【００４０】  デマッピング部１５９は、ＤＦＴ部１５７から出力された信号から各端末の送信帯域に対応した部分を抽出し、抽出した各信号を除算部１６０に出力する。【００４１】  除算部１６０は、基準点と送信帯域との周波数差δに相当する位相回転が加えられたＺＣ系列を用いて、デマッピング部１５９から出力された信号を除算し、除算結果（相関値）をＩＦＦＴ部１６１に出力する。すなわち、除算部１６０で用いるＺＣ系列は、端末１００において式（５）で表されるＺＣ系列が送信された場合は式（５）のＺＣ系列を用い、端末１００において式（６）で表されるＺＣ系列が送信された場合は式（６）のＺＣ系列を用いる。なお、送信時と同一のＺＣ系列で除算するため、定数項が付加された式（５）のＺＣ系列、あるいは、定数項が付加されない式（６）のＺＣ系列のいずれを用いた場合においても、希望波の複素プロファイル検出（チャネル推定）を正しく行うことができる。【００４２】  ＩＦＦＴ部１６１は、除算部１６０から出力された信号にＩＦＦＴ処理を施し、ＩＦＦＴ処理を施した信号をマスク処理部１６２に出力する。【００４３】  抽出手段としてのマスク処理部１６２は、ＩＦＦＴ部１６１から出力された信号にマスク処理を施すことにより、所望の系列の相関値が存在する区間（検出窓）の相関値を抽出し、抽出した相関値をＤＦＴ部１６３に出力する。【００４４】  ＤＦＴ部１６３は、マスク処理部１６２から出力された相関値にＤＦＴ処理を施し、ＤＦＴ処理を施した相関値を周波数領域等化部１６６に出力する。なお、ＤＦＴ部１６３から出力された信号は、伝搬路の周波数応答を表すものである。【００４５】  ＤＦＴ部１６４は、分離部１５６から出力されたデータ信号及び制御信号にＤＦＴ処理を施し、時間領域から周波数領域の信号に変換し、周波数領域に変換したデータ信号及び制御信号をデマッピング部１６５に出力する。【００４６】  デマッピング部１６５は、ＤＦＴ部１６４から出力された信号から各端末の送信帯域に対応した部分のデータ信号及び制御信号が抽出され、抽出された各信号を周波数領域等化部１６６に出力する。【００４７】  周波数領域等化部１６６は、伝搬路推定部１５８内のＤＦＴ部１６３から出力された信号（伝搬路の周波数応答）を用いて、デマッピング部１６５から出力されたデータ信号及び制御信号に等化処理を施し、等化処理を施した信号をＩＦＦＴ部１６７に出力する。【００４８】  ＩＦＦＴ部１６７は、周波数領域等化部１６６から出力されたデータ信号及び制御信号にＩＦＦＴ処理を施し、ＩＦＦＴ処理を施した信号を復調部１６８に出力する。復調部１６８は、ＩＦＦＴ処理が施された信号に復調処理を施し、復調処理を施した信号を復号部１６９に出力する。復号部１６９は、復調処理が施された信号に復号処理を施し、受信データを抽出する。【００４９】  ここで、伝搬路推定部１５８における除算部１６０について式を用いて説明する。例えば、図１０に示すように、希望波（式（６）でｕ１，Ｎ１が利用されるＺＣ系列）がセル＃１から送信され、干渉波（式（６）でｕ２，Ｎ２が利用されるＺＣ系列）がセル＃２から送信され、これらが合成されて基地局で受信される場合を想定する。このとき、干渉波のＺＣ系列（ｕ２，Ｎ２）を除算部１６０において希望波のＺＣ系列（ｕ１，Ｎ１）で除算処理を行うと、相互相関が高い組み合わせ、つまり、ｕ１／Ｎ１≒ｕ２／Ｎ２≒ｕ／Ｎの関係を満たしている場合には、除算部１６０における干渉波の周波数応答は以下の式（７）で表される。
【数７】
2008136184.tif 000009
【００５０】  上式（７）において、右辺第２項のＣｏｎｓｔはサブキャリアｋに依存する項ではないため、干渉波ピークの位置に無関係であるが、右辺第１項によって、干渉波ピークを希望波ピークから時間領域において（ｍ２−ｍ１）Δサンプル離れた位置に発生させることができる。これにより、図１１に示すように、干渉波ピークを希望波の検出窓外に発生させることができ、自セルの信号を分離することができるので、チャネル推定精度を向上させることができる。【００５１】  以下、本実施の形態に係るＺＣ系列生成方法により、送信帯域にかかわらず、希望波と干渉波の相関ピークの位置を所定の巡回シフト量の関係に維持できることを詳細に説明する。【００５２】  従来方式では、例えば、セル＃１から希望波（系列番号ｕ１、系列長Ｎ１、巡回シフト番号ｍ１）、セル＃２から干渉波（系列番号ｕ２、系列長Ｎ２、巡回シフト番号ｍ２）が図１２に示すＲＢ送信帯域で送信され、セル＃２のＺＣ系列がセル＃１で受信されることを想定する。ここで、式（４）で表されるＺＣ系列が送信周波数帯にかかわらず、それぞれのセルで生成される。【００５３】  この場合、セル＃２のＺＣ系列の先頭のスペクトラム値はセル＃１のＺＣ系列の１３番目のスペクトラム値で除算される。なお、これらが相互相関の高い組み合わせ、つまり、ｕ１／Ｎ１≒ｕ２／Ｎ２≒ｕ／Ｎの関係を満たしている場合、セル＃２のＺＣ系列の相関値ピークはあらかじめ時間領域で設定された巡回シフト量とは異なる位置に発生する。これを式で示すと以下の式（８）になる。ただし、Ｃｏｎｓｔは定数項を表す。
【数８】
2008136184.tif 000010
【００５４】  ここで、第１項、第２項はサブキャリアｋに依存する項であり、周波数領域でサブキャリア毎に比例した位相回転を与える。周波数領域での位相回転は、時間領域での巡回シフトに相当し、相関値のピーク位置に影響を与える項である。一方、第３項はサブキャリアｋに依存しない項であり、相関値のピーク位置に影響を与えない項である。【００５５】  なお、第１項は巡回シフト番号ｍ２及びｍ１に依存する項であり、各セルで与えられる巡回シフト番号によって相関値のピーク位置を決定できる。しかしながら、第２項はＲＢ送信帯域に依存する項であり、セル間でＲＢ送信帯域が同じ場合はδ２−δ１＝０となるため、相関値のピーク位置に影響を与えないが、ＲＢ送信帯域が異なる場合はδ２−δ１≠０となる。このとき、第２項が１＋ｊ０以外の値となる場合は、希望波と干渉波のピーク位置の関係が崩れ、干渉波が希望波の検出窓内に生じる可能性がある。干渉波ピークが希望波ピークの検出窓に発生した場合、希望波と干渉波の遅延プロファイルを分離することができないため、チャネル推定精度が劣化してしまう。【００５６】  このように、従来方式では、ＺＣ系列及び巡回シフト系列は、送信帯域幅（ＲＢ数）のみに基づいて生成及び送信される。したがって、相関演算で利用する自セルのＺＣ系列の要素と、隣接セルのＺＣ系列の要素とが、異なる帯域に割り当てられる場合には、これらのＺＣ系列の相対的な関係が保たれていない。【００５７】  上式（５）に示した巡回シフトＺＣ系列生成方法を用いた場合、従来方式の説明と同様に、例えば、セル＃１から希望波（系列番号ｕ１、系列長Ｎ１、巡回シフト番号ｍ１）、セル＃２から干渉波（系列番号ｕ２、系列長Ｎ２、巡回シフト番号ｍ２）が図１２に示すＲＢ送信帯域で送信され、セル＃２のＺＣ系列がセル＃１で受信されることを想定する。これを式で示すと以下の式（９）になる。ただし、Ｃｏｎｓｔは定数項を表す。
【数９】
2008136184.tif 000011
【００５８】  ここで、第１項はサブキャリアｋに依存する項であり、周波数領域でサブキャリア毎の位相回転の項である。周波数領域での位相回転は、時間領域での巡回シフトに相当し、相関値のピーク位置に影響する項である。また、第１項は巡回シフト番号ｍ２及びｍ１に依存する項であり、各セルで与えられる巡回シフト番号に依存する項である。一方、第２項はサブキャリアｋに依存しない項であり、相関値のピーク位置に影響を与えない項である。【００５９】  式（９）より、上式（５）に示した巡回シフトＺＣ系列生成方法を用いた場合は、従来方式での式（８）の第２項、つまり、ＲＢ送信帯域δ１及びδ２に依存する項が生じないため、干渉波ピークと希望波ピークの位置の関係を巡回シフト番号ｍ１及びｍ２にのみ依存させることができる。よって、干渉波ピークを希望波ピークの検出窓の外側に発生させることができ、希望波と干渉波の遅延プロファイルを分離できるため、チャネル推定精度を改善することができる。また、式（６）に示した巡回シフトＺＣ系列生成方法を用いた場合は、式（７）となる。【００６０】  このように、ＺＣ系列及び巡回シフトＺＣ系列は、送信帯域幅（ＲＢ数）に加えて、送信帯域つまり周波数（サブキャリア）位置に基づいて生成及び送信される。したがって、相関演算で利用する自セルのＺＣ系列の要素と、隣接セルのＺＣ系列の要素とが、異なる帯域に割り当られる場合であっても、これらのＺＣ系列の相対的な関係が保たれる。【００６１】  このように実施の形態１によれば、基準となる周波数を設定し、この周波数を基準点として、基準点と参照信号の送信帯域の周波数差δに相当する位相回転を周波数領域においてＺＣ系列に与えることにより、受信側において、隣接セルからの干渉波ピークを希望波ピークの検出窓外に発生させることができ、自セルの信号を分離することができるので、チャネル推定精度を向上させることができる。換言すれば、各端末は送信帯域及び送信帯域幅に応じてＺＣ系列を用いて参照信号を生成及び送信し、基地局は、各端末から送信される送信帯域及び送信帯域幅に応じたＺＣ系列を用いて除算処理を行うことにより、隣接セルからの干渉波ピークと希望波ピークが異なる検出窓に現れるようにすることができる。【００６２】  また、本実施の形態では、端末１００における参照信号生成部１０８を図７に示すものとして説明したが、図１３Ａ及び図１３Ｂに示すような構成でもよい。図１３Ａに示す位相回転部は、初期設定の巡回シフト系列に対応する位相回転量を各サブキャリアに割り当てる。すなわち、割り当てられた巡回シフト系列を生成するための巡回シフトを時間領域では行わず、周波数領域で巡回シフト量に対応する位相回転量分の位相回転を行う。なお、位相回転付加部と位相回転部は２つに分かれて個別に位相回転を行う構成でなくてもよい。例えば、１つの位相回転部において、巡回シフト量に対応する位相回転量と、基準点と参照信号の送信帯域の周波数差δに相当する位相回転量とを合わせて周波数領域で位相回転を行う構成としてもよい。また、位相回転付加部と位相回転部の順番が入れ替わっていてもよい。また、図１３Ｂに示すように、周波数領域に変換する前に所定の巡回シフト量でＺＣ系列に巡回シフトを行う構成としてもよい。これらの構成でも干渉波ピークを希望波ピークの検出窓外に発生させることができる。【００６３】  また、上記基地局及び端末の構成は、ＺＣ系列を時間領域において生成する場合について説明したが、これに限るものではなく、周波数領域においてＺＣ系列を生成してもよい。すなわち、ＺＣ系列生成部で周波数領域におけるＺＣ系列を生成し、生成した周波数領域におけるＺＣ系列に対して、位相回転部は基準点と参照信号の送信帯域との周波数差δに相当する位相回転を行う構成であってもよい。なお、これらの構成に限定するものではない。【００６４】  また、本発明は、上述した基地局の構成に限定するものではなく、本発明が適用できる構成であればよい。例えば、除算部１６０において、基準点と送信帯域との周波数差δに相当する位相回転が加えられたＺＣ系列（式（５）あるいは式（６））ではなく、位相回転を加える前のＺＣ系列（式（３））を用いて除算処理を行うことも可能である。この場合、所望系列の相関値が存在する区間（検出窓の範囲）が巡回シフト量ｍΔだけではなく、送信帯域に対応した位相回転量によっても異なるため、マスク処理部１６２において、巡回シフト量ｍΔ及び送信帯域に対応した位相回転量を考慮し、所望系列の相関値が存在する区間（検出窓）の相関値を抽出する構成とすることで、上記基地局の構成と等価な処理が可能である。【００６５】  （実施の形態２）
実施の形態１では、フレーム同期が確立した全てのセル及び各端末の送信帯域幅に対して基準点を設定し、基準点と参照信号の送信帯域の周波数差δに相当する位相回転を周波数領域においてＺＣ系列に与える場合について説明したが、本発明の実施の形態２では、基準点と参照信号の送信帯域の周波数差δに相当する巡回シフトを時間領域においてＺＣ系列に与える場合について説明する。なお、本発明の実施の形態２に係る基地局の構成は、実施の形態１の図９に示した構成と同様であるので、その詳細な説明は省略する。【００６６】  本発明の実施の形態２に係る端末２００の構成について、図１４を用いて説明する。図１４が図７と異なる点は、位相回転付加部１１０を削除し、巡回シフト付加部２０１を追加した点である。【００６７】  巡回シフト付加部２０１は、基準点と参照信号の送信帯域との周波数差δに相当する巡回シフトをＺＣ系列に付加し、巡回シフトを付加したＺＣ系列をＤＦＴ部１０９に出力する。以下、巡回シフト付加部２０１の処理について、式を用いて説明する。【００６８】  まず、一般的に、時間領域における巡回シフトＺＣ系列、つまり、ＺＣ−ＺＣＺ系列は以下の式（１０）によって表される。
【数１０】
2008136184.tif 000012
式（１０）において、Ｎは系列長を、ｒは時間領域のＺＣ系列番号をそれぞれ表し、Ｎとｒは互いに素である。また、ｍは巡回シフト番号を、Δは巡回シフト量をそれぞれ表す。【００６９】  ここで、上記のｆ（ｋ，Ｘ）のＸは基準点となる周波数（サブキャリア）とＺＣ系列の送信帯域における周波数差、つまり、δサブキャリアを表すが、式（１０）は基準点を送信帯域としているため、周波数差をδ＝０として表記している。【００７０】  式（６）を時間領域に変換すると、以下の式（１１）によって表される。ただし、Ｃｏｎｓｔは定数項を表す。
【数１１】
2008136184.tif 000013
【００７１】  なお、基準点と参照信号の送信帯域の周波数差δに相当する位相回転を周波数領域で与えることが、周波数差δに相当する巡回シフトを時間領域でＺＣ系列に与えることと等価であることは式（１２）のフーリエ変換対の関係から得られる。
【数１２】
2008136184.tif 000014
【００７２】  式（１１）は、式（１０）のＺＣ系列に基準点と参照信号の送信帯域の周波数差δに相当する巡回シフトを時間領域において加えたものに相当する。よって、巡回シフト付加部２０１は、式（１０）のＺＣ系列に巡回シフト（−ｕδ）を時間領域において付加する。【００７３】  このように実施の形態２によれば、基準点と参照信号の送信帯域の周波数差δに相当する巡回シフトを時間領域においてＺＣ系列に与えることにより、受信側において、隣接セルからの干渉波ピークを希望波ピークの検出窓外に発生させることができ、自セルの信号を分離することができるので、チャネル推定精度を向上させることができる。【００７４】  なお、本実施の形態では、端末２００における参照信号生成部１０８を図１４に示すものとして説明したが、図１５Ａ〜Ｃに示すような構成でもよい。図１５Ａは、巡回シフト付加部及び巡回シフト部をＤＦＴ部の前段に配置し、巡回シフト付加部において基準点と参照信号の送信帯域の周波数差δに相当する巡回シフトをＺＣ系列に対して時間領域で与える構成である。なお、巡回シフト付加部と巡回シフト部は２つに分かれて個別に巡回シフトを行う構成でなくてもよい。例えば、１つの巡回シフト部として、巡回シフト量に対応する巡回シフト量と、基準点と参照信号の送信帯域の周波数差δに相当する巡回シフト量とを合わせて時間領域で巡回シフトを行う構成としてもよい。【００７５】  また、図１５Ｂに示すように、巡回シフト部及び巡回シフト付加部をＩＦＦＴ部の後段に配置する構成、及び、図１５Ｃに示すように、巡回シフト部をＤＦＴ部の前段、巡回シフト付加部をＩＦＦＴ部の後段に配置する構成でもよい。また、巡回シフト付加部をＤＦＴ部の前段、巡回シフト部をＩＦＦＴ部の後段に配置する構成でもよい。なお、巡回シフト付加部をＩＦＦＴ部の後段に配置する場合は、入力信号に対して周波数差δに相当する巡回シフトをオーバーサンプリングに対応した巡回シフト量に変更して時間領域で付加する。なお、上記の構成において巡回シフト付加部と巡回シフト部の順番が入れ替わっていてもよい。これらの構成でも、干渉波ピークを希望波ピークの検出窓外に発生させることができる。【００７６】  （実施の形態３）
本発明の実施の形態３では、基準点と参照信号の送信帯域の周波数差δに相当する巡回シフトを周波数領域においてＺＣ系列に与える場合について説明する。なお、本発明の実施の形態３に係る基地局の構成は、実施の形態１の図９に示した構成と同様であるので、その詳細な説明は省略する。【００７７】  本発明の実施の形態３に係る端末３００の構成について、図１６を用いて説明する。図１６が図７と異なる点は、位相回転付加部１１０を巡回シフト付加部３０１に変更した点である。【００７８】  巡回シフト付加部３０１は、基準点と参照信号の送信帯域との周波数差δに相当する巡回シフトをＤＦＴ部１０９から出力されたＺＣ系列に付加し、巡回シフトを付加したＺＣ系列をマッピング部１１１に出力する。【００７９】  ここで、上式（４）を変換すると、以下の式（１３）が導かれる。
【数１３】
2008136184.tif 000015
【００８０】  上式（１３）は、上式（４）で表されるＺＣ系列に周波数差δに相当する巡回シフト量を周波数領域において与えたものに相当する。つまり、上式（４）に周波数差δに相当する巡回シフト量を付加したものを送信すればよい。なお、巡回シフト付加部３０１は、ＺＣ系列に巡回シフト（δ）を周波数領域において付加する。【００８１】  なお、基準点と参照信号の送信帯域の周波数差δに相当する位相回転を周波数領域で与えることと、周波数差δに相当する巡回シフトを周波数領域で与えることが等価であることは、式（５）及び式（１３）から明確である。つまり、式（５）の位相回転項が式（１３）では巡回シフトの形式で表され、これが等価な変換であることが分かる。なお、希望波及び干渉波を異なるＲＢ送信帯域で送信する場合に、これらのＺＣ系列のｋインデックスが周波数領域で対応するように巡回シフトを施している。例えば、希望波がｋ＝７で始まるＺＣ系列である場合は、干渉波もｋ＝７で始まるＺＣ系列とする。【００８２】  図１０に示したように、希望波（式（８）で系列番号ｕ１，系列長Ｎ１，巡回シフト番号ｍ１が利用されるＺＣ系列）がセル＃１から送信され、干渉波（式（８）で系列番号ｕ２，系列長Ｎ２，巡回シフト番号ｍ２が利用されるＺＣ系列）がセル＃２から送信され、これらが合成されて基地局で受信される場合を想定する。このとき、除算部１６０において干渉波のＺＣ系列（ｕ２，Ｎ２，ｍ２）を希望波のＺＣ系列（ｕ１，Ｎ１，ｍ１）で除算処理を行うと、相互相関が高い組み合わせ、つまり、ｕ１／Ｎ１≒ｕ２／Ｎ２≒ｕ／Ｎの関係を満たしている場合には、除算部１６０における干渉波の周波数応答は以下の式（１４）で表すことができる。
【数１４】
2008136184.tif 000016
ここで、Ｆ（ｋ＋δ１）、Ｆ（ｋ＋δ２）はＦ（ｋ）にδ１、δ２の巡回シフトを加えたものである。また、（δ２−δ１）はＲＢ送信帯域の差を表す。上式（１４）において、右辺第２項はサブキャリアｋに依存する項ではないため、干渉波ピークの位置に影響を与えない。よって、干渉波ピークの位置は右辺第１項によってのみ決定されるため、希望波ピークから時間領域において（ｍ２−ｍ１）Δサンプル離れた位置に発生させることができる。【００８３】  したがって、図１１に示したように、干渉波ピークを希望波の検出窓外に発生させることができ、自セルの信号を分離することができるので、チャネル推定精度を向上させることができる。【００８４】  このように実施の形態３によれば、基準点と参照信号の送信帯域の周波数差δに相当する巡回シフトを周波数領域においてＺＣ系列に与えることにより、受信側において、隣接セルからの干渉波ピークを希望波ピークの検出窓外に発生させることができ、自セルの信号を分離することができるので、チャネル推定精度を向上させることができる。【００８５】  なお、図１６に示した参照信号生成部１０８は、図１３に示した位相回転付加部を巡回シフト付加部に変更した構成であってもよい。巡回シフト付加部での動作は上記と同様である。【００８６】  （実施の形態４）
本発明の実施の形態４では、基準点と参照信号の送信帯域の周波数差δに相当する位相回転を時間領域においてＺＣ系列に与える場合について説明する。なお、本発明の実施の形態４に係る基地局の構成は、実施の形態２の図９に示した構成と同様であるので、その詳細な説明は省略する。【００８７】  本発明の実施の形態４に係る端末４００の構成について、図１７を用いて説明する。図１７が図１４と異なる点は、巡回シフト付加部２０１を位相回転付加部４０１に変更した点である。【００８８】  位相回転付加部４０１は、基準点と参照信号の送信帯域との周波数差δに相当する位相回転をＺＣ系列に付加し、位相回転を付加したＺＣ系列をＤＦＴ部１０９に出力する。【００８９】  ここで、実施の形態３に示した式（１３）を変換すると、以下の式（１５）が導かれる。
【数１５】
2008136184.tif 000017
【００９０】  上式（１５）は、ＺＣ系列に周波数差δに相当する位相回転を時間領域において与えたものである。よって、位相回転付加部４０１は、周波数差δに相当する位相回転を時間領域においてＺＣ系列に付加する。つまり、以下の式（１６）のように上式（５）のＺＣ系列に時間領域で位相回転を付加して送信する。
【数１６】
2008136184.tif 000018
【００９１】  なお、基準点と参照信号の送信帯域の周波数差δに相当する巡回シフトを周波数領域で与えることが、周波数差δに相当する位相回転を時間領域でＺＣ系列に与えることと等価であることは式（１２）のフーリエ変換対の関係から得られる。つまり、チャネル推定結果は式（１４）と同じ結果となる。【００９２】  このように実施の形態４によれば、基準点と参照信号の送信帯域の周波数差δに相当する位相回転を時間領域においてＺＣ系列に与えることにより、受信側において、隣接セルからの干渉波ピークを希望波ピークの検出窓外に発生させることができ、自セルの信号を分離することができるので、チャネル推定精度を向上させることができる。【００９３】  なお、ＺＣ系列のフーリエ変換対の系列番号ｒ及びｕの間には（ｒ×ｕ）ｍｏｄＮ＝Ｎ−１＝−１（ｍｏｄＮ），ｒ，ｕ＝１，２，…，Ｎ−１が成立するため、式（１６）は次の式（１７）で表される。
【数１７】
2008136184.tif 000019
【００９４】  なお、図１７に示した参照信号生成部１０８は、図１５に示した巡回シフト付加部を位相回転付加部に変更した構成であってもよい。位相回転付加部での動作は上記と同様である。図１５Ａは、位相回転付加部及び巡回シフト部をＤＦＴ部の前段に配置し、位相回転付加部において基準点と参照信号の送信帯域の周波数差δに相当する位相回転をＺＣ系列に対して時間領域で与える構成である。【００９５】  また、図１５Ｂに示すように、巡回シフト部及び位相回転付加部をＩＦＦＴ部の後段に配置する構成、及び、図１５Ｃに示すように、巡回シフト部をＤＦＴ部の前段、位相回転付加部をＩＦＦＴ部の後段に配置する構成でもよい。また、位相回転付加部をＤＦＴ部の前段、巡回シフト部をＩＦＦＴ部の後段に配置する構成でもよい。なお、位相回転付加部をＩＦＦＴ部の後段に配置する場合は、入力信号に対して周波数差δに相当する位相回転をオーバーサンプリングに対応した位相回転量に変更して時間領域で付加する。なお、上記の構成において位相回転付加部と巡回シフト部の順番が入れ替わっていてもよい。【００９６】  （実施の形態５）
本発明の実施の形態５では、実施の形態１において参照信号としてＣＡＺＡＣ系列を巡回拡張（Ｃｙｃｌｉｃ  ｅｘｔｅｎｓｉｏｎ）した系列、または、ＣＡＺＡＣ系列をトランケーション（Ｔｒｕｎｃａｔｉｏｎ）した系列を利用する場合について説明する。以下、ＣＡＺＡＣ系列のひとつであるＺＣ系列を用いて説明する。ただし、実施の形態５に係る端末及び基地局の構成は、参照信号生成部１０８を除いて実施の形態１の図７及び図９に示した構成と同様であるので、図７及び図９を援用する。【００９７】  一般に、系列長Ｎが素数であるＺＣ系列をＲＢ送信帯域のサブキャリア数に合わせるため、素数長のＺＣ系列を巡回拡張することにより、ＲＢ送信帯域のサブキャリア数の参照信号を生成する方法が検討されている。また、これと同様に、素数長のＺＣ系列を切り詰める、つまり、トランケーションすることにより、ＲＢ送信帯域のサブキャリア数の参照信号を生成する方法が検討されている。以下、それぞれの方法で生成される参照信号について説明する。【００９８】  図１８は、ＺＣ系列の周波数領域における巡回拡張により生成される参照信号を示す図である。ＺＣ系列の巡回拡張により生成される参照信号は、一般に、ＲＢ送信帯域幅に対応するサブキャリア数を超えない最大の素数を系列長とするＺＣ系列を利用し、このＺＣ系列の一部を参照信号の送信サブキャリア数に合わせて繰り返す構成をとる。例えば、図１８に示すように、参照信号を送信するサブキャリア数が２４である場合、系列長Ｎ＝２３のＺＣ系列を適用する。そして、このＺＣ系列をサブキャリア数に合わせるために、選択されたＺＣ系列の先頭の１シンボルが末尾に付加され、合計２４サブキャリア分の参照信号を生成する。なお、末尾の１シンボルを先頭に付加する構成であってもよい。【００９９】  次に、巡回拡張した参照信号を用いる場合の参照信号生成部１０８について図１９Ａを用いて説明する。参照信号生成部１０８は、巡回拡張部を追加した点が実施の形態１の参照信号生成部１０８と異なる。【０１００】  巡回拡張部は、位相回転付加部の後段に配置され、位相回転付加部で生成された信号が入力され、この入力信号に対して前述の巡回拡張処理を行う。例えば、ＲＢ送信帯域が２４サブキャリアである場合、位相回転付加部において系列長Ｎ＝２３のＺＣ系列に対して式（４）の位相回転を施した後、巡回拡張部に出力する。ここで、ｋは０，１，・・・，２２（＝系列長−１）である。巡回拡張部では、前述のように位相回転付加部からの入力信号の巡回拡張処理を行い、２４サブキャリア分のシンボルを位相回転部に出力する。【０１０１】  また、位相回転付加部で付加される位相回転は系列長で一周するため、位相回転付加部から出力されたＺＣ系列を巡回拡張することで、サブキャリア毎に連続した位相回転が付加されることになる。例えば、ＲＢ送信帯域が２４サブキャリアである場合、ＺＣ系列の１サンプル目に２π／２３（＝２πｋ／Ｎ）の位相回転が加えられるとする。このとき、２４サンプル目では２π＊２４／２３、つまり、２π／２３が加えられることになる。すなわち、１サンプル目を巡回拡張させることと等価となる。【０１０２】  なお、図１９Ｂに示すように、巡回拡張部がＤ��Ｔ部の後段に配置される構成でもよい。これは、巡回拡張が施された後に位相回転付加部で位相回転が付加されても図１９Ａと同じＺＣ系列になるためである。この場合、巡回拡張部では、ＤＦＴ部から入力された系列が巡回拡張され、位相回転付加部では、巡回拡張部から入力された系列に対して式（８）の位相回転が施される。なお、位相回転付加部では、巡回拡張部で巡回拡張されたサンプルも含めて位相回転が施される。例えば、ＲＢ送信帯域が２４サブキャリアである場合、系列長Ｎ＝２３のＺＣ系列が２４サブキャリアに合わせて巡回拡張され、この拡張された信号に式（８）が施される。ここで、ｋは０，１，・・・，２３（＝ＲＢ送信帯域におけるサブキャリア数−１）である。【０１０３】  なお、ＺＣ−ＺＣＺ系列の生成に利用する位相回転部は、図２０に示すように、時間領域で巡回シフト部を利用する構成であってもよい。ここで、図２０Ａ及び図２０Ｂでは、巡回シフト部がＩＦＦＴ部の後段に配置され、図２０Ｃ及び図２０Ｄでは、巡回シフト部がＤＦＴ部の前段に配置される構成である。なお、位相回転付加部及び巡回拡張部における処理は図１９の処理と同様である。【０１０４】  図２１は、ＺＣ系列をトランケーションして生成される参照信号を示す図である。ＺＣ系列をトランケーションすることによる参照信号の生成は、一般に、ＲＢ送信帯域におけるサブキャリア数を下回らない最小の素数を系列長とするＺＣ系列を利用し、このＺＣ系列の一部をＲＢ送信帯域におけるサブキャリア数に合うようにトランケートする（切り詰める）。例えば、ＲＢ送信帯域が２４サブキャリアである場合、系列長Ｎ＝２９のＺＣ系列が選択される。そして、このＺＣ系列がサブキャリア数に合わせて５シンボルだけ切り詰められる。なお、切り詰める５シンボルは先頭の５シンボル、先頭及び末尾の合計５シンボルを切り詰める構成であってもよい。【０１０５】  トランケーションにより生成される参照信号を用いる場合の参照信号生成部１０８の構成及び動作について図１９Ａを用いて説明する。ただし、図１９Ａにおける巡回拡張部をトランケーション部に変更したものとして説明する。例えば、ＲＢ送信帯域が２４サブキャリアである場合、位相回転付加部では、系列長Ｎ＝２９のＺＣ系列に対して式（８）の位相回転が付加されてトランケーション部に出力される。ここで、ｋは０，１，・・・，２８（＝系列長−１）である。トランケーション部は、前述のように位相回転付加部からの入力信号に対してトランケーション処理を行い、２４サブキャリア分のシンボルを位相回転部に出力する。【０１０６】  なお、図１９Ｂに示すように、トランケーション部（ここでは、巡回拡張部をトランケーション部に変更）がＤＦＴ部の後段に配置される構成でもよい。これは、トランケーションが施された後に位相回転付加部で位相回転が付加されても図１９Ａと同じＺＣ系列になるためである。この場合、位相回転付加部ではトランケーションされたＺＣ系列が入力され、この入力信号に対して式（８）の位相回転が施される。例えば、ＲＢ送信帯域が２４サブキャリアである場合、系列長Ｎ＝２９のＺＣ系列が２４サブキャリアに合わせてトランケーションされ、このトランケーションされた信号に式（８）が施される。ここで、ｋは０，１，・・・，２３（＝ＲＢ送信帯域におけるサブキャリア数−１）である。【０１０７】  なお、ＺＣ−ＺＣＺ系列の生成に利用する位相回転部は、図２０に示すように、時間領域で巡回シフト部を利用する構成であってもよい。ここで、図２０Ａ及び図２０Ｂでは、巡回シフト部がＩＦＦＴ部の後段に配置され、図２０Ｃ、図２０Ｄでは巡回シフト部がＤＦＴ部の前段に配置される構成である。なお、位相回転付加部及び巡回拡張部、又は、トランケーション部における処理は図１９に示した構成における処理と同様である。【０１０８】  なお、実施の形態２〜４においても同様に巡回拡張及びトランケーションを適用することができる。例えば、実施の形態２においてＺＣ系列として巡回拡張又はトランケーションを利用する場合には、図１４又は図１５に示したＤＦＴ部の後段に巡回拡張部又はトランケーション部を配置する。巡回拡張部又はトランケーション部では、ＤＦＴ部から出力された信号にＲＢ送信帯域のサブキャリア数に合わせて巡回拡張又はトランケーションが施される（図２２参照）。【０１０９】  また、実施の形態３においてＺＣ系列として巡回拡張又はトランケーションを利用する場合には、図１９又は図２０の位相回転付加部を巡回シフト付加部に変更した構成とする。ここで、巡回拡張部及びトランケーション部の処理は、図１９又は図２０を用いて説明した処理と同様である。つまり、図１９Ａでは、巡回拡張部が巡回シフト付加部の後段に配置され、巡回シフト付加部で生成された信号が巡回拡張される。また、図１９Ｂでは、巡回シフト付加部が巡回拡張部の後段に配置され、巡回拡張されたＺＣ系列が巡回シフトされる（図２３、図２４参照）。【０１１０】  また、実施の形態４においてＺＣ系列として巡回拡張又はトランケーションを利用する場合には、図１７に示したＤＦＴ部の後段に巡回拡張部又はトランケーション部を配置する。なお、図１５に示した巡回シフト付加部を位相回転付加部に変更した構成においても同様の配置である。巡回拡張部又はトランケーション部では、ＤＦＴ部からの出力信号にＲＢ送信帯域のサブキャリア数に合わせて巡回拡張又はトランケーションが施される（図２５参照）。【０１１１】  なお、ＺＣ系列の巡回拡張及びトランケーションは、周波数領域ではなく、時間領域で行ってもよい。この場合、実施の形態１〜４と同じ構成でＤＦＴ部１０９の前段に巡回拡張部又はトランケーション部を配置することを除いて、実施の形態１〜４と同様である。【０１１２】  このように実施の形態５によれば、ＺＣ系列を巡回拡張又はトランケーションして参照信号の系列を生成する場合でも、実施の形態１〜４と同様、受信側において、隣接セルからの干渉波ピークを希望波ピークの検出窓外に発生させることができ、自セルの信号を分離することができるので、チャネル推定精度を向上させることができる。【０１１３】  なお、ＺＣ系列長をＮ＝２３あるいはＮ＝２９として説明したが、これに限定するものではない。【０１１４】  なお、上記各実施の形態では、同一系列長のｕ１／Ｎ１＝ｕ２／Ｎ２においても、チャネル推定精度を改善することができる。例えば、フレーム同期が確立する複数のセ��で同一系列長の同一系列番号が用いられ、各セルにおいて異なる巡回シフト系列が用いられる場合を想定すると、基地局はセル毎に個別のスケジューリングを行い各端末に周波数リソースを割り当てるため、図２６に示すように、隣接セルにおいて異なる送信帯域でＺＣ系列が送信される可能性が高い。その結果、干渉波ピークは異なる位置に発生し、このピークが所望波の検出窓内に移動した場合にはチャネル推定精度が劣化する。このような場合においても、上記各実施の形態を用いることにより、干渉波ピークが所望波の検出窓内に発生しないので、チャネル推定精度を向上させることができる。【０１１５】  なお、本発明を１つの帯域幅だけに限定して、これらの系列間のみに適用してもよい。本発明で複数帯域幅の系列間の課題を解決するのではなく、１つの帯域幅の系列間の課題を解決する場合には、複数の帯域幅間で同一の基準点を設けなくても、１つの帯域幅において共通の基準点を設ければよい。例えば、系列長Ｎ＝２３のみに本発明が適用されてもよく、この場合に系列長Ｎ＝２３のみで共通の基準点が設けられていればよい。【０１１６】  また、上記各実施の形態では、フレーム同期が確立した全てのセルで同一の基準を設定する場合について説明したが、本発明はこれに限らず、フレーム同期が確立しないセルで同じ基準を設定してもよい。また、各端末がサポートする最小送信帯域幅等にかかわらず、フレーム同期が確立する全てのセル及び各送信帯域幅で同一の基準点を設定してもよい。【０１１７】  この基準点としては、図２７Ａに示すように、基準点をシステム送信帯域幅内のＤＣ成分サブキャリアとしてもよいし、図２７Ｂに示すように、システム送信帯域幅（例えば、２０ＭＨｚ）の一番端のサブキャリとしてもよい。なお、この場合、システム送信帯域（２０ＭＨｚ）をサポートしていない端末も基準点をシステム送信帯域幅（２０ＭＨＺ）の一番端のサブキャリアとする。【０１１８】  また、セル間で同一の周波数（絶対値）あるいはサブキャリアを基準点にするかぎりにおいて、任意の周波数（サブキャリア）を基準点として選ぶことができる。基準点となる周波数（サブキャリア）はシステム帯域の外側であってもよい。【０１１９】  また、上記各実施の形態では、フレーム同期が確立しているセル間（例えば、同一基地局に属するセル）に同一系列番号（ｕ）の異なる巡回シフト系列（ｍ）を割り当てる方法と、相互相関が高い系列を同一セルに割り当てるグルーピング方法とを組み合わせた場合について説明したが、本発明はこれに限らず、フレーム同期が確立したセル内において、相互相関の高い系列番号が用いられる場合にも適用することができる。【０１２０】  また、上記各実施の形態における基準点と送信帯域の周波数差δに相当する位相回転又は巡回シフトは、ＺＣ系列におけるｑｋの項に設定してもよい。具体的には、上記実施の形態において付加した位相回転の項を上式（４）のｑｋの項として、以下の式（１８）で表される。
【数１８】
2008136184.tif 000020
なお、ＺＣ系列を適当なｑｋで生成後に実施の形態１〜４に示した位相回転又は巡回シフトを加えてもよいし、ＺＣ生成時にｑｋに実施の形態１〜４に示した位相回転又は巡回シフトを加えてもよい。また、ＺＣ系列は以下の式（１９）で表されてもよい。
【数１９】
2008136184.tif 000021
また、上式（１１）は、以下の式（２０）で用いられてもよい。
【数２０】
2008136184.tif 000022
【０１２１】  上式のように、上記各実施の形態において、端末は、参照信号生成部においてＺＣ系列で表される参照信号を生成する。生成される参照信号は、送信帯域幅に応じて特定される系列長Ｎ、各セルに割り当てられた系列番号（周波数領域における系列番号ｕ若しくは時間領域における系列番号ｒ）、各セルに割り当てられた巡回シフト量Δｍ、送信帯域に応じて特定されるδ、の４つの変数によって表されるＺＣ系列となる。このように、各端末は、送信帯域幅（系列長）、送信帯域（基準点からの周波数差）、系列番号、巡回シフト量を用いてＺＣ系列を生成することにより、他端末から送信される参照信号との相対関係を一定に保つことができるため、基地局におけるチャネル推定精度を向上させることができる。【０１２２】  また、上式（３）は以下の式（２１）で表されることもある。
【数２１】
2008136184.tif 000023
この場合、上式（４）は以下の式（２２）で表される。
【数２２】
2008136184.tif 000024
つまり、実施の形態１の場合には、上式（２１）に位相回転が付加されて送信される。このことを以下の式（２３）に示す。
【数２３】
2008136184.tif 000025
なお、上式（１０）及び上式（１１）は以下の式（２４）、式（２５）で表され、式（２５）は式（２４）のＺＣ系列に巡回シフト（−ｕδ）を時間領域において付加して送信される。
【数２４】
2008136184.tif 000026
【数２５】
2008136184.tif 000027
なお、上式（１３）は以下の式（２６）で表され、上式（２１）のＺＣ系列に巡回シフト（δ）を周波数領域において付加して送信される。
【数２６】
2008136184.tif 000028
なお、上式（１５）は以下の式（２７）で表され、式（２８）のように上式（２４）に位相回転が付加されて送信される。
【数２７】
2008136184.tif 000029
【数２８】
2008136184.tif 000030
【０１２３】  なお、系列生成に用いる基準点は、複数のセル間で共通の場合について説明したが、干渉の影響を低減したいセル間で共通の基準点を適用してもよいし、全てのセルで共通の基準点を適用してもよい。また、複数の基準点が設定されていてもよい。【０１２４】  なお、上記各実施の形態では、系列長が奇数のＺＣ系列を例に説明したが、系列長が偶数となるＺＣ系列を用いてもよい。また、ＺＣ系列を内包するＧＣＬ（Ｇｅｎｅｒａｌｉｚｅｄ  Ｃｈｉｒｐ  Ｌｉｋｅ）系列にも適用可能である。さらに、符号系列に対して巡回シフト系列又はＺＣＺ系列を用いる他のＣＡＺＡＣ系列やバイナリ系列に対しても同様に適用可能である。例えば、Ｆｒａｎｋ系列、その他のＣＡＺＡＣ系列（計算機により生成した系列を含む）Ｍ系列及びゴールド系列などのＰＮ系列が挙げられる。【０１２５】  なお、上記各実施の形態では、ＣＡＺＡＣ系列及びその巡回シフト系列を上り回線の参照信号として利用する場合について説明したが、これに限定されるものではない。例えば、上り回線のチャネル品質推定用参照信号、ランダムアクセス用プリアンブル系列、下り回線の同期チャネル用参照信号など、巡回シフトを用い、セル間で異なる送信帯域で送信される場合に対しても同様に適用可能である。【０１２６】  さらに、ＣＡＺＡＣ系列を符号分割多重（ＣＤＭ）あるいは符号分割多元接続（ＣＤＭＡ）の拡散符号として用いる場合にも同様に適用可能であり、ＲＢ送信帯域が異なる場合の相関演算時に系列間の相対的な関係が崩れ、干渉波ピークが希望波ピークの検出窓で検出されることを回避することができる。【０１２７】  なお、実施の形態１〜５は、巡回シフトの相対関係を維持する方法の一例であり、巡回シフトの相対関係を維持する方法であればこれらに限定するものではない。すなわち、複数のセル間で共通の基準点（周波数、サブキャリア）を用いて、干渉波成分の相関結果が上式（７）のｅｘｐ｛−ｊ２π（ｍ＿ａ−ｍ＿ｂ）Δ／Ｎ｝  ｘ  Ｃｏｎｓｔとできる方法なら何でもよい。【０１２８】  また、上記実施の形態３に示した式（１３）において、図２８Ａ、図２８Ｂ、図２９Ａ及び図２９Ｂに示すように、ＺＣ系列のｋインデックス係数（Ｃｋで表記）をサブキャリアと一対一に対応させると解釈してもよい。ここで、図２８は巡回拡張（ＲＢ送信帯域：２ＲＢ）の場合を示し、基準点から１〜２３のｋインデックス係数を順に繰り返し、サブキャリアに一対一で対応させている。図２９はトランケーションの場合を示し、基準点から１〜２９のｋインデックスを順に繰り返し、サブキャリアに一対一に対応させている。なお、図２８Ａ及び図２９Ａは基準点をシステム送信帯域の一番端のサブキャリアとした場合を、また、図２８Ｂ及び図２９Ｂは基準点をシステム送信帯域の中心のサブキャリアとした場合を示している。【０１２９】  また、図２８Ａにおいて、送信ＺＣ系列のｋインデックス係数とサブキャリアの関係は図３０に示すようになる。つまり、ｆ０を基準点とし、ｆａをサブキャリア番号とすると、そのサブキャリアｆａのＺＣ系列のｋインデックス係数ＣａはＣａ＝Ｃａｍｏｄ（２３）の関係となる（ただし、系列長Ｎ＝２３の場合）。なお、Ｃａ＝Ｃａ  ｍｏｄ（Ｘ）はＣ��をＸで除算した余りである。巡回シフト付加部３０１では、この関係に対応するように入力された信号に巡回シフトを施す。【０１３０】  また、上記各実施の形態では、移動局から基地局に対してデータ及び参照信号を送信する例を挙げたが、基地局から移動局への送信の場合でも同様に適用できる。【０１３１】  （実施の形態６）
本発明の実施の形態６に係る端末１００の構成について、図７を用いて説明する。受信ＲＦ１０２部は、アンテナ１０１を介して受信した信号にダウンコンバート、Ａ／Ｄ変換等の受信処理を施し、受信処理を施した信号を復調部１０３に出力する。復調部１０３は、受信ＲＦ部１０２から出力された信号に等化処理、復調処理を施し、これらの処理を施した信号を復号部１０４に出力する。復号部１０４は、復調部１０３から出力された信号に復号処理を施し、データ信号及び制御情報を抽出する。また、抽出された制御情報のうち、ＲＢ（Ｒｅｓｏｕｒｃｅ  Ｂｌｏｃｋ）割当情報が参照信号生成部１０８の位相回転付加部１１０及びマッピング部１１１に出力される。【０１３２】  符号化部１０５は、送信データを符号化し、符号化データを変調部１０６に出力する。変調部１０６は、符号化部１０５から出力された符号化データを変調し、変調信号をＲＢ割当部１０７に出力する。ＲＢ割当部１０７は、変調部１０６から出力された変調信号をＲＢに割り当て、ＲＢに割り当てた変調信号を多重化部１１４に出力する。【０１３３】  参照信号生成部１０８は、ＤＦＴ部１０９、位相回転付加部１１０、マッピング部１１１、ＩＦＦＴ部１１２、巡回シフト部１１３を備えており、復号部１０４から出力されたＲＢ割当情報に基づいて、ＺＣ系列から参照信号を生成し、生成した参照信号を多重化部１１４に出力する。以下、参照信号生成部１０８の内部構成について説明する。【０１３４】  ＤＦＴ部１０９は、ＺＣ系列を生成するＺＣ系列生成部（図示せぬ）から出力されたＺＣ系列にＤＦＴ処理を施し、時間領域から周波数領域の信号に変換し、周波数領域に変換したＺＣ系列を位相回転付加部１１０に出力する。ここで、図示せぬＺＣ系列生成部は、復号部１０４で抽出された制御情報のうち、ＲＢ割当情報を用いて送信帯域幅を特定し、送信帯域幅に対応するＺＣ系列長Ｎを特定する。また、復号部１０４で抽出された制御情報のうち、所属するセルに割り当てられた系列番号を表す情報を用いて系列番号ｕを特定する。これらの系列長Ｎ及び系列番号ｕを用いて、ＺＣ系列生成部はＺＣ系列を生成し、ＤＦＴ部１０９に出力する。【０１３５】  位相回転付加部１１０は、システム帯域内で便宜的に定めた周波数を基準点としたとき、基準点と参照信号の送信帯域との周波数差δに相当する位相回転をＤＦＴ部１０９から出力されたＺＣ系列に付加し、位相回転を付加したＺＣ系列をマッピング部１１１に出力する。【０１３６】  マッピング部１１１は、復号部１０４から出力されたＲＢ割当情報に基づいて、位相回転付加部１１０から出力されたＺＣ系列を端末１００の送信帯域に対応した帯域にマッピングし、マッピングしたＺＣ系列をＩＦＦＴ部１１２に出力する。ＩＦＦＴ部１１２は、マッピング部１１１から出力されたＺＣ系列にＩＦＦＴ（Ｉｎｖｅｒｓｅ  Ｆａｓｔ  Ｆｏｕｒｉｅｒ  Ｔｒａｎｓｆｏｒｍ）処理を施し、ＩＦＦＴ処理を施したＺＣ系列を巡回シフト部１１３に出力する。【０１３７】  巡回シフト部１１３は、ＩＦＦＴ部１１２から出力されたＺＣ系列を所定のシフト量分巡回シフトし、巡回シフトしたＺＣ系列を参照信号として多重化部１１４に出力する。シフト量は、例えば、基��局から通知される制御情報を用いて特定する。【０１３８】  多重化部１１４は、ＲＢ割当部１０７から出力された送信データ（変調信号）と巡回シフト部１１３から出力されたＺＣ系列（参照信号）とを時間多重し、多重信号を送信ＲＦ部１１５に出力する。なお、多重化部１１４における多重化方法は、時間多重に限らず、周波数多重、符号多重、複素空間上のＩＱ多重であってもよい。【０１３９】  送信ＲＦ部１１５は、多重化部１１４から出力された多重信号にＤ／Ａ変換、アップコンバート、増幅等の送信処理を施し、送信処理を施した信号をアンテナ１０１から無線送信する。【０１４０】  ここで、参照信号生成部１０８においてＺＣ系列に位相回転を付加する理由について説明する。まず、図８に示すように、ＺＣ系列の送信帯域を基準点からδサブキャリア離れた位置とすると、基準点を考慮したＺＣ系列は周波数領域において以下の式（２９）で表される。
【数２９】
2008136184.tif 000031
【０１４１】  上式（２９）において、Ｎは系列長（素数）であり、ｋはサブキャリア番号（ｋ＝０，１，２，．．．，Ｎ−１）である。また、上式（２９）において、右辺の第１項は送信帯域を考慮しないＺＣ系列（式（４）で表したＦｕ，ｍ（ｋ））を表し、ピーク位置は初期設定の巡回シフト量に対応して決定される。また、第２項はサブキャリアｋに依存しない定数項であり、ピーク位置を移動させる要素ではない。さらに、第３項は送信帯域に依存する位相回転の項であり、この第３項によって、相関演算で利用する自セルのＺＣ系列の要素と、隣接セルのＺＣ系列の要素とが、異なる帯域に割り当られる場合でも、これらのＺＣ系列を同じ関係に保つことができる。なお、第３項の位相回転項は自端末の送信帯域、系列番号、系列長に依存するものであり、他の端末の送信帯域等に依存するものではない。つまり、端末は上式（２９）における右辺の第１項及び第３項を送信すればよい。例えば、以下の式（３０）のように第１項に第３項の位相回転を付加して送信する。
【数３０】
2008136184.tif 000032
【０１４２】  なお、上式（２９）の右辺の定数項（第２項）を付加して送信してもよい。また、付加する定数項は上記に限定する必要はない。また、基準点と端末から送信する参照信号の送信帯域との周波数差δに相当するδを利用して、式（４）の左辺のｋにｋ＋δを代入して送信してもよい。【０１４３】  次に、本発明の実施の形態６に係る基地局１５０の構成について、図９を用いて説明する。符号化部１５１は、送信データ及び制御信号を符号化し、符号化データを変調部１５２に出力する。変調部１５２は、符号化データを変調し、変調信号を送信ＲＦ部１５３に出力する。送信ＲＦ部１５３は、変調信号にＤ／Ａ変換、アップコンバート、増幅等の送信処理を施し、送信処理を施した信号をアンテナ１５４から無線送信する。【０１４４】  受信ＲＦ部１５５は、アンテナ１５４を介して受信した信号にダウンコンバート、Ａ／Ｄ変換等の受信処理を施し、受信処理を施した信号を分離部１５６に出力する。【０１４５】  分離部１５６は、受信ＲＦ部１５５から出力された信号を参照信号と、データ信号及び制御信号とに分離し、分離した参照信号をＤＦＴ（Ｄｉｓｃｒｅｔｅ  Ｆｏｕｒｉｅｒ  Ｔｒａｎｓｆｏｒｍ）部１５７に、データ信号及び制御信号をＤＦＴ部１６４にそれぞれ出力する。【０１４６】  ＤＦＴ部１５７は、分離部１５６から出力された参照信号にＤＦＴ処理を施し、時間領域から周波数領域の信号に変換し、周波数領域に変換した参照信号を伝搬路推定部１５８のデマッピング部１５９に出力する。【０１４７】  伝搬路推定部１５８は、デマッピング部１５９、除算部１６０、ＩＦＦＴ（Ｉｎｖｅｒｓｅ  Ｆａｓｔ  Ｆｏｕｒｉｅｒ  Ｔｒａｎｓｆｏｒｍ）部１６１、マスク処理部１６２、ＤＦＴ部１６３を備え、ＤＦＴ部１５７から出力された参照信号に基づいて、伝搬路を推定する。以下、伝搬路推定部１５８の内部構成について具体的に説明する。【０１４８】  デマッピング部１５９は、ＤＦＴ部１５７から出力された信号から各端末の送信帯域に対応した部分を抽出し、抽出した各信号を除算部１６０に出力する。【０１４９】  除算部１６０は、基準点と送信帯域との周波数差δに相当する位相回転が加えられたＺＣ系列を用いて、デマッピング部１５９から出力された信号を除算し、除算結果（相関値）をＩＦＦＴ部１６１に出力する。ＩＦＦＴ部１６１は、除算部１６０から出力された信号にＩＦＦＴ処理を施し、ＩＦＦＴ処理を施した信号をマスク処理部１６２に出力する。【０１５０】  抽出手段としてのマスク処理部１６２は、ＩＦＦＴ部１６１から出力された信号にマスク処理を施すことにより、所望の系列の相関値が存在する区間（検出窓）の相関値を抽出し、抽出した相関値をＤＦＴ部１６３に出力する。【０１５１】  ＤＦＴ部１６３は、マスク処理部１６２から出力された相関値にＤＦＴ処理を施し、ＤＦＴ処理を施した相関値を周波数領域等化部１６６に出力する。なお、ＤＦＴ部１６３から出力された信号は、伝搬路の周波数応答を表すものである。【０１５２】  ＤＦＴ部１６４は、分離部１５６から出力されたデータ信号及び制御信号にＤＦＴ処理を施し、時間領域から周波数領域の信号に変換し、周波数領域に変換したデータ信号及び制御信号をデマッ��ング部１６５に出力する。【０１５３】  デマッピング部１６５は、ＤＦＴ部１６４から出力された信号から各端末の送信帯域に対応した部分のデータ信号及び制御信号が抽出され、抽出された各信号を周波数領域等化部１６６に出力する。【０１５４】  周波数領域等化部１６６は、伝搬路推定部１５８内のＤＦＴ部１６３から出力された信号（伝搬路の周波数応答）を用いて、デマッピング部１６５から出力されたデータ信号及び制御信号に等化処理を施し、等化処理を施した信号をＩＦＦＴ部１６７に出力する。【０１５５】  ＩＦＦＴ部１６７は、周波数領域等化部１６６から出力されたデータ信号及び制御信号にＩＦＦＴ処理を施し、ＩＦＦＴ処理を施した信号を復調部１６８に出力する。復調部１６８は、ＩＦＦＴ処理が施された信号に復調処理を施し、復調処理を施した信号を復号部１６９に出力する。復号部１６９は、復調処理が施された信号に復号処理を施し、受信データを抽出する。【０１５６】  ここで、伝搬路推定部１５８における除算部１６０について式を用いて説明する。例えば、図１０に示すように、希望波（式（２９）でｕ１，Ｎ１が利用されるＺＣ系列）がセル＃１から送信され、干渉波（式（２９）でｕ２，Ｎ２が利用されるＺＣ系列）がセル＃２から送信され、これらが合成されて基地局で受信される場合を想定する。このとき、干渉波のＺＣ系列（ｕ２，Ｎ２）を除算部で希望波のＺＣ系列（ｕ１，Ｎ１）で除算処理を行うと、相互相関が高い組み合わせ、つまり、ｕ１／Ｎ１≒ｕ２／Ｎ２≒ｕ／Ｎの関係を満たしている場合には、除算部１６０における干渉波の周波数応答は以下の式（３１）で表される。
【数３１】
2008136184.tif 000033
【０１５７】  上式（３１）において、右辺第２項はサブキャリアに依存する項ではないため、干渉波ピークの位置に無関係であるが、右辺第１項によって、干渉波ピークを希望波ピークから時間領域において（ｍ２−ｍ１）Δサンプル離れた位置に発生させることができる。これにより、図１１に示すように、干渉波ピークを希望波の検出窓外に発生させることができ、自セルの信号を分離することができるので、チャネル推定精度を向上させることができる。【０１５８】  このように実施の形態６によれば、基準となる周波数を設定し、この周波数を基準点として、基準点と参照信号の送信帯域の周波数差δに相当する位相回転を周波数領域においてＺＣ系列に与えることにより、受信側において、隣接セルからの干渉波ピークを希望波ピークの検出窓外に発生させることができ、自セルの信号を分離することができるので、チャネル推定精度を向上させることができる。換言すれば、各端末は送信帯域及び送信帯域幅に応じてＺＣ系列を用いて参照信号を生成及び送信し、基地局は、各端末から送信される送信帯域及び送信帯域幅に応じたＺＣ系列を用いて除算処理を行うことにより、隣接セルからの干渉波ピークと希望波ピークが異なる検出窓に現れるようにすることができる。【０１５９】  また、本実施の形態では、端末１００における参照信号生成部１０８を図７に示すものとして説明したが、図１５Ａ及び図１５Ｂに示すような構成でもよい。図１５Ａに示す位相回転部は、初期設定の巡回シフト系列に対応する位相回転量を各サブキャリアに割り当てる。すなわち、割り当てられた巡回シフト系列を生成するための巡回シフトを時間領域では行わず、周波数領域で巡回シフト量に対応する位相回転量分の位相回転を行う。なお、位相回転付加部と位相回転部は２つに分かれて個別に位相回転を行う構成でなくてもよい。例えば、１つの位相回転部において、巡回シフト量に対応する位相回転量と、基準点と参照信号の送信帯域の周波数差δに相当する位相回転量とを合わせて周波数領域で位相回転を行う構成としてもよい。また、位相回転付加部と位相回転部の順番が入れ替わっていてもよい。また、図１５Ｂに示すように、周波数領域に変換する前に所定の巡回シフト量でＺＣ系列に巡回シフトを行う構成としてもよい。これらの構成でも干渉波ピークを希望波ピークの検出窓外に発生させることができる。【０１６０】  また、上記説明ではＺＣ系列を時間領域において生成する場合について説明したが、これに限るものではなく、周波数領域においてＺＣ系列を生成してもよい。すなわち、ＺＣ系列生成部で周波数領域におけるＺＣ系列を生成し、生成した周波数領域におけるＺＣ系列に対して、位相回転部は基準点と参照信号の送信帯域との周波数差δに相当する位相回転を行う構成であってもよい。なお、これらの構成に限定するものではない。【０１６１】  （実施の形態７）
実施の形態６では、フレーム同期が確立した全てのセル及び各端末の送信帯域幅に対して基準点を設定し、基準点と参照信号の送信帯域の周波数差δに相当する位相回転を周波数領域においてＺＣ系列に与える場合について説明したが、本発明の実施の形態７では、基準点と参照信号の送信帯域の周波数差δに相当する巡回シフトを時間領域においてＺＣ系列に与える場合について説明する。なお、本発明の実施の形態７に係る基地局の構成は、実施の形態６の図９に示した構成と同様であるので、その詳細な説明は省略する。【０１６２】  本発明の実施の形態７に係る端末２００の構成について、図１４を用いて説明する。図１４が図７と異なる点は、位相回転付加部１１０を削除し、巡回シフト付加部２０１を追加した点である。【０１６３】  巡回シフト付加部２０１は、基準点と参照信号の送信帯域との周波数差δに相当する巡回シフトをＺＣ系列に付加し、巡回シフトを付加したＺＣ系列をＤＦＴ部１０９に出力する。以下、巡回シフト付加部２０１の処理について、式を用いて説明する。【０１６４】  まず、一般的に、時間領域におけるＺＣ系列は以下の式（３２）によって表される。
【数３２】
2008136184.tif 000034
式（３２）において、Ｎは系列長を、ｒは時間領域のＺＣ系列番号をそれぞれ表し、Ｎとｒは互いに素である。また、ｍは巡回シフト番号を、Δは巡回シフト量をそれぞれ表す。【０１６５】  式（３２）を時間領域に変換すると、以下の式（３３）によって表される。ただし、Ｃｏｎｓｔは定数項を表す。
【数３３】
2008136184.tif 000035
【０１６６】  式（３３）は、式（３２）のＺＣ系列に基準点と参照信号の送信帯域の周波数差δに相当する巡回シフトを時間領域において加えたものに相当する。よって、巡回シフト付加部２０１は、式（３２）のＺＣ系列に巡回シフト（−ｕδ）を時間領域において付加する。【０１６７】  このように実施の形態７によれば、基準点と参照信号の送信帯域の周波数差δに相当する巡回シフトを時間領域においてＺＣ系列に与えることにより、受信側において、隣接セルからの干渉波ピークを希望波ピークの検出窓外に発生させることができ、自セルの信号を分離することができるので、チャネル推定精度を向上させることができる。【０１６８】  なお、本実施の形態では、端末２００における参照信号生成部１０８を図１４に示すものとして説明したが、図１５Ａ〜Ｃに示すような構成でもよい。図１５Ａは、巡回シフト付加部および巡回シフト部をＤＦＴ部の前段に配置し、巡回シフト付加部において基準点と参照信号の送信帯域の周波数差δに相当する巡回シフトをＺＣ系列に対して時間領域で与える構成である。なお、巡回シフト付加部と巡回シフト部は２つに分かれて個別に巡回シフトを行う構成でなくてもよい。例えば、１つの巡回シフト部として、巡回シフト量に対応する巡回シフト量と、基準点と参照信号の送信帯域の周波数差δに相当する巡回シフト量とを合わせて時間領域で巡回シフトを行う構成としてもよい。【０１６９】  また、図１５Ｂに示すように、巡回シフト部及び巡回シフト付加部をＩＦＦＴ部の後段に配置する構成、及び図１５Ｃに示すように、巡回シフト部をＤＦＴ部の前段、巡回シフト付加部をＩＦＦＴ部の後段に配置する構成でもよい。また、巡回シフト付加部をＤＦＴ部の前段、巡回シフト部をＩＦＦＴ部の後段に配置する構成でもよい。なお、巡回シフト付加部をＩＦＦＴ部の後段に配置する場合は、入力信号に対して周波数差δに相当する巡回シフトをオーバーサンプリングに対応した巡回シフト量に変更して時間領域で付加する。なお、上記の構成において巡回シフト付加部と巡回シフト部の順番が入れ替わっていてもよい。これらの構成でも、干渉波ピークを希望波ピークの検出窓外に発生させることができる。【０１７０】  （実施の形態８）
本発明の実施の形態８では、基準点と参照信号の送信帯域の周波数差δに相当する巡回シフトを周波数領域においてＺＣ系列に与える場合について説明する。なお、本発明の実施の形態８に係る基地局の構成は、実施の形態６の図９に示した構成と同様であるので、その詳細な説明は省略する。【０１７１】  本発明の実施の形態８に係る端末３００の構成について、図１６を用いて説明する。図１６が図７と異なる点は、位相回転付加部１１０を巡回シフト付加部３０１に変更した点である。【０１７２】  巡回シフト付加部３０１は、基準点と参照信号の送信帯域との周波数差δに相当する巡回シフトをＤＦＴ部１０９から出力されたＺＣ系列に付加し、巡回シフトを付加したＺＣ系列をマッピング部１１１に出力する。【０１７３】  ここで、上式（４）を変換すると、以下の式（３４）が導かれる。
【数３４】
2008136184.tif 000036
【０１７４】  上式（３４）は、上式（４）で表されるＺＣ系列に周波数差δに相当する巡回シフト量を周波数領域において与えたものに相当する。つまり、上式（４）に周波数差δに相当する巡回シフト量を付加したものを送信すればよい。なお、巡回シフト付加部３０１は、ＺＣ系列に巡回シフト（δ）を周波数領域において付加する。【０１７５】  このように実施の形態８によれば、基準点と参照信号の送信帯域の周波数差δに相当する巡回シフトを周波数領域においてＺＣ系列に与えることにより、受信側において、隣接セルからの干渉波ピークを希望波ピークの検出窓外に発生させることができ、自セルの信号を分離することができるので、チャネル推定精度を向上させることができる。【０１７６】  （実施の形態９）
本発明の実施の形態９では、基準点と参照信号の送信帯域の周波数差δに相当する位相回転を時間領域においてＺＣ系列に与える場合について説明する。なお、本発明の実施の形態９に係る基地局の構成は、実施の形態７の図９に示した構成と同様であるので、その詳細な説明は省略する。【０１７７】  本発明の実施の形態９に係る端末４００の構成について、図１７を用いて説明する。図１７が図１４と異なる点は、巡回シフト付加部２０１を位相回転付加部４０１に変更した点である。【０１７８】  位相回転付加部４０１は、基準点と参照信号の送信帯域との周波数差δに相当する位相回転をＺＣ系列に付加し、位相回転を付加したＺＣ系列をＤＦＴ部１０９に出力する。【０１７９】  ここで、実施の形態８に示した式（３４）を変換すると、以下の式（３５）が導かれる。
【数３５】
2008136184.tif 000037
【０１８０】  上式（３５）は、ＺＣ系列に周波数差δに相当する位相回転を時間領域において与えたものである。よって、位相回転付加部４０１は、周波数差δに相当する位相回転を時間領域においてＺＣ系列に付加する。つまり、以下の式（３６）のように上式（３２）のＺＣ系列に時間領域で位相回転を付加して送信する。
【数３６】
2008136184.tif 000038
【０１８１】  このように実施の形態９によれば、基準点と参照信号の送信帯域の周波数差δに相当する位相回転を時間領域においてＺＣ系列に与えることにより、受信側において、隣接セルからの干渉波ピークを希望波ピークの検出窓外に発生させることができ、自セルの信号を分離することができるので、チャネル推定精度を向上させることができる。【０１８２】  なお、上記各実施の形態では、同一系列長のｕ１／Ｎ１＝ｕ２／Ｎ２においても、チャネル推定精度を改善することができる。例えば、フレーム同期が確立する複数のセルで同一系列長の同一系列番号が用いられ、各セルにおいて異なる巡回シフト系列が用いられる場合を想定すると、基地局はセル毎に個別のスケジューリングを行い各端末に周波数リソースを割り当てるため、図２６に示すように、隣接セルにおいて異なる送信帯域でＺＣ系列が送信される可能性が高い。その結果、干渉波ピークは異なる位置に発生し、このピークが所望波の検出窓内に移動した場合にはチャネル推定精度が劣化する。このような場合においても、上記各実施の形態を用いることにより、干渉波ピークが所望波の検出窓内に発生しないので、チャネル推定精度を向上させることができる。【０１８３】  また、上記各実施の形態では、フレーム同期が確立した全てのセルで同一の基準を設定する場合について説明したが、本発明はこれに限らず、フレーム同期が確立しないセルで同じ基準を設定してもよい。また、各端末がサポートする最小送信帯域幅等にかかわらず、フレーム同期が確立する全てのセル及び各送信帯域幅で同一の基準点を設定してもよい。【０１８４】  この基準点としては、図２７Ａに示すように、基準点をシステム送信帯域幅内のＤＣ成分サブキャリアとしてもよいし、図２７Ｂに示すように、システム送信帯域幅（例えば、２０ＭＨｚ）の一番端のサブキャリとしてもよい。なお、この場合、システム送信帯域（２０ＭＨｚ）をサポートしていない端末も基準点をシステム送信帯域幅（２０ＭＨＺ）の一番端のサブキャリアとする。【０１８５】  また、上記各実施の形態では、フレーム同期が確立しているセル間（例えば、同一基地局に属するセル）に同一系列番号（ｕ）の異なる巡回シフト系列（ｍ）を割り当てる方法と、相互相関が高い系列を同一セルに割り当てるグルーピング方法とを組み合わせた場合について説明したが、本発明はこれに限らず、フレーム同期が確立したセル内において、相互相関の高い系列番号が用いられる場合にも適用することができる。【０１８６】  また、上記各実施の形態における基準点と送信帯域の周波数差δに相当する位相回転又は巡回シフトは、ＺＣ系列におけるｑｋの項に設定してもよい。具体的には、上記実施の形態において付加した位相回転の項を上式（４）のｑｋの項として、以下の式（３７）で表される。
【数３７】
2008136184.tif 000039
なお、ＺＣ系列を適当なｑｋで生成後に実施の形態５〜９に示した位相回転又は巡回シフトを加えてもよいし、ＺＣ生成時にｑｋに実施の形態５〜９に示した位相回転又は巡回シフトを加えてもよい。また、ＺＣ系列は以下の式（３８）で表されてもよい。
【数３８】
2008136184.tif 000040
また、上式（３５）は、以下の式（３９）で用いられてもよい。
【数３９】
2008136184.tif 000041
【０１８７】  上式のように、上記各実施の形態において、端末は、参照信号生成部においてＺＣ系列で表される参照信号を生成する。生成される参照信号は、送信帯域幅に応じて特定される系列長Ｎ、各セルに割り当てられた系列番号（周波数領域における系列番号ｕ若しくは時間領域における系列番号ｒ）、各セルに割り当てられた巡回シフト量Δｍ、送信帯域に応じて特定されるδ、の４つの変数によって表されるＺＣ系列となる。このように、各端末は、送信帯域幅（系列長）、送信帯域（基準点からの周波数差）、系列番号、巡回シフト量を用いてＺＣ系列を生成することにより、他端末から送信される参照信号との相対関係を一定に保つことができるため、基地局におけるチャネル推定精度を向上させることができる。【０１８８】  また、上式（４）は以下の式（４０）で表されることもある。
【数４０】
2008136184.tif 000042
この場合、上式（２９）は以下の式（４１）で表される。
【数４１】
2008136184.tif 000043
つまり、実施の形態６の場合には、上式（４０）に位相回転が付加されて送信される。
【数４２】
2008136184.tif 000044
なお、上式（３２）及び上式（３３）は以下の式（４３）、式（４４）で表され、式（４３）のＺＣ系列に巡回シフト（−ｕδ）を時間領域において付加して送信される。
【数４３】
2008136184.tif 000045
【数４４】
2008136184.tif 000046
なお、上式（３４）は以下の式（４５）で表され、上式（４０）のＺＣ系列に巡回シフト（δ）を周波数領域において付加して送信される。
【数４５】
2008136184.tif 000047
なお、上式（３５）は以下の式（４６）で表され、式（４７）のように上式（４３）に位相回転が付加されて送信される。
【数４６】
2008136184.tif 000048
【数４７】
2008136184.tif 000049
【０１８９】  なお、上記各実施の形態では、本発明をハードウェアで構成する場合を例にとって説明したが、本発明はソフトウェアで実現することも可能である。【０１９０】  また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１９１】  また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。【０１９２】  さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１９３】  ２００７年４月２６日出願の特願２００７−１１７４６８及び２００７年６月１９日出願の特願２００７−１６１９５７の日本出願に含まれる明細書、図面及び要約書の開示内容は、すべて本願に援用される。
【産業上の利用可能性】
【０１９４】  本発明にかかる無線通信端末装置、無線通信基地局装置及び無線通信方法は、干渉波ピークが自セルに割り当てられた巡回シフト系列の検出窓に入ることを防止し、基地局におけるチャネル推定精度を向上させることができ、例えば、移動通信システム等に適用できる。
【図１】
2008136184.tif 000050
【図２】
2008136184.tif 000051
【図３】
2008136184.tif 000052
【図４】
2008136184.tif 000053
【図５】
2008136184.tif 000054
【図６】
2008136184.tif 000055
【図７】
2008136184.tif 000056
【図８】
2008136184.tif 000057
【図９】
2008136184.tif 000058
【図１０】
2008136184.tif 000059
【図１１】
2008136184.tif 000060
【図１２】
2008136184.tif 000061
【図１３】
2008136184.tif 000062
【図１４】
2008136184.tif 000063
【図１５】
2008136184.tif 000064
【図１６】
2008136184.tif 000065
【図１７】
2008136184.tif 000066
【図１８】
2008136184.tif 000067
【図１９】
2008136184.tif 000068
【図２０】
2008136184.tif 000069
【図２１】
2008136184.tif 000070
【図２２】
2008136184.tif 000071
【図２３】
2008136184.tif 000072
【図２４】
2008136184.tif 000073
【図２５】
2008136184.tif 000074
【図２６】
2008136184.tif 000075
【図２７】
2008136184.tif 000076
【図２８Ａ】
2008136184.tif 000077
【図２８Ｂ】
2008136184.tif 000078
【図２９Ａ】
2008136184.tif 000079
【図２９Ｂ】
2008136184.tif 000080
【図３０】
2008136184.tif 000081
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
予め設定された周波数と参照信号の送信帯域との周波数差に相当する位相回転又は巡回シフトを参照信号に付加する付加部と、
位相回転又は巡回シフトが付加された前記参照信号を送信する送信部と、
を具備する無線通信端末装置。
【請求項２】
前記参照信号として、ＣＡＺＡＣ系列又はＺＣ系列を用いる請求項１に記載の無線通信端末装置。
【請求項３】
前記付加手段は、位相回転又は巡回シフトを周波数領域において前記参照信号に付加する請求項１に記載の無線通信端末装置。
【請求項４】
前記付加手段は、位相回転又は巡回シフトを時間領域において前記参照信号に付加する請求項１に記載の無線通信端末装置。
【請求項５】
予め設定された周波数を基準点とし、前記基準点と無線通信端末装置に割り当てた参照信号の送信帯域との周波数差δに相当する位相回転又は巡回シフトが加えられた巡回シフト系列を用いて、受信信号に含まれる参照信号を除算し、相関値を算出する除算手段と、
算出された相関値のうち、所望の系列の相関値が存在する区間の相関値を抽出する抽出手段と、
を具備する無線通信基地局装置。
【請求項６】
予め設定された周波数を基準点とし、前記基準点と無線通信端末装置から送信する参照信号の送信帯域との周波数差δに相当する位相回転又は巡回シフトを参照信号に付加する付加工程と、
位相回転又は巡回シフトが付加された前記参照信号を巡回シフト系列として無線通信端末装置から送信する送信工程と、
前記巡回シフト系列を用いて、受信信号に含まれる参照信号を除算し、相関値を算出する除算工程と、
算出された相関値のうち、所望の系列の相関値が存在する区間の相関値を抽出する抽出工程と、
を具備する無線通信方法。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
予め設定された周波数と参照信号の送信帯域との周波数差に相当する位相回転又は巡回シフトを参照信号に付加する付加部と、
位相回転又は巡回シフトが付加された前記参照信号を送信する送信部と、
を具備する無線通信端末装置。
【請求項２】
前記参照信号として、ＣＡＺＡＣ系列又はＺＣ系列を用いる請求項１に記載の無線通信端末装置。
【請求項３】
前記付加手段は、位相回転又は巡回シフトを周波数領域において前記参照信号に付加する請求項１に記載の無線通信端末装置。
【請求項４】
前記付加手段は、位相回転又は巡回シフトを時間領域において前記参照信号に付加する請求項１に記載の無線通信端末装置。
【請求項５】
予め設定された周波数を基準点とし、前記基準点と無線通信端末装置に割り当てた参照信号の送信帯域との周波数差δに相当する位相回転又は巡回シフトが加えられた巡回シフト系列を用いて、受信信号に含まれる参照信号を除算し、相関値を算出する除算手段と、
算出された相関値のうち、所望の系列の相関値が存在する区間の相関値を抽出する抽出手段と、
を具備する無線通信基地局装置。
【請求項６】
予め設定された周波数を基準点とし、前記基準点と無線通信端末装置から送信する参照信号の送信帯域との周波数差δに相当する位相回転又は巡回シフトを参照信号に付加する付加工程と、
位相回転又は巡回シフトが付加された前記参照信号を巡回シフト系列として無線通信端末装置から送信する送信工程と、
前記巡回シフト系列を用いて、受信信号に含まれる参照信号を除算し、相関値を算出する除算工程と、
算出された相関値のうち、所望の系列の相関値が存在する区間の相関値を抽出する抽出工程と、
を具備する無線通信方法。
【手続補正２】
【補正対象書類名】明細書
【補正対象項目名】全文
【補正方法】変更
【補正の内容】
【発明の詳細な説明】
【技術分野】
【０００１】
本発明は、Zadoff-Chu系列などのCAZAC（Constant Amplitude and Zero Auto-correlation Code）系列を参照信号に用いる無線通信端末装置、無線通信基地局装置及び無線通信方法に関する。
【背景技術】
【０００２】
3GPP LTE(3rd Generation Partnership Project Long-term Evolution)において、上りチャネル推定用参照信号としてZadoff-Chu系列（以下、「ZC系列」という）が採択された。このZC系列はCAZAC系列の一種であり、時間領域で表記すると以下の式（１）で表される。
【数１】
2008136184.tif 000082
ここで、Ｎは系列長、ｒは時間領域でのZC系列番号であり、Ｎとｒは互いに素である。また、ｐは任意の整数（一般的には、ｐ＝０）を表す。以下において、系列長Ｎが奇数の場合について説明するが、偶数の場合も同様に適用できる。
【０００３】
式（１）のZC系列を時間領域で巡回シフトすることにより得られる巡回シフトZC系列、あるいはZC-ZCZ(Zadoff-Chu Zero Correlation Zone)系列は、次の式（２）で表される。
【数２】
2008136184.tif 000083
ここで、ｍは巡回シフト番号、Δは巡回シフト量を表す。±の符号はいずれであってもよい。さらに、式（１）の時間領域ZC系列をフーリエ変換により周波数領域に変換した系列もZC系列となるため、ZC系列を周波数領域で表記すると次の式（３）で表される。
【数３】
2008136184.tif 000084
ここで、Ｎは系列長、ｕは周波数領域でのZC系列番号であり、Ｎとｕは互いに素である。また、ｑは任意の整数（一般的には、ｑ＝０）を表す。同様に、式（２）の時間領域でのZC-ZCZ系列を周波数領域で表記すると、巡回シフトと位相回転がフーリエ変換対の関係にあることから、次の式（４）で表される。
【数４】
2008136184.tif 000085
ここで、Ｎは系列長、ｕは周波数領域でのZC系列番号であり、Ｎとｕは互いに素である。また、ｍは巡回シフト番号、Δは巡回シフト量、ｑは任意の整数（一般的には、ｑ＝０）を表す。
【０００４】
以下では、式（４）に示した周波数領域表記の巡回シフトZC系列（ZC-ZCZ系列）を用いて説明する。
【０００５】
このZC系列では、系列番号（ｕ）の異なる系列、巡回シフト量（Δｍ）の異なる系列の２種類を参照信号に利用することができる（図１参照）。これら系列番号の異なるZC系列間は準直交（相関が低く、ほぼ直交）の関係が成り立ち、巡回シフト量の異なる系列間は直交の関係が成り立つため、系列間の相互相関特性がよい。なお、巡回シフト量の異なる系列は、CAZAC系列の性質上、フレーム同期が確立したセル間で直交の関係を成立させることが容易である。
【０００６】
非特許文献１及び非特許文献２には、系列のリユースファクタを増加させることを目的として、図２に示すように、フレーム同期が確立しているセル間（例えば、同一基地局に属するセル）に同一系列番号（ｕ）の異なる巡回シフト系列（ｍ）を割り当てることが提案されている（方法１）。例えば、フレーム間同期が確立したセルでは、同一系列番号ｕ＝３のZC系列を利用し、セル＃１では巡回シフト番号ｍ＝１，２を、セル＃２では巡回シフト番号ｍ＝３，４を、セル＃３では巡回シフト番号ｍ＝５，６を利用する。
【０００７】
受信側では、割り当てられた巡回シフト番号に応じた検出範囲（検出窓）を備え、検出窓から外れた信号を除去することにより、図３に示すように、自セルの信号を受信信号から分離することができる。すなわち、セル＃１では、巡回シフト番号ｍ＝１，２の検出窓のみを取り出すことによって、自セルの信号を受信信号から分離する。なお、各端末から送信される参照信号が同一送信帯域及び同一時間に送信される場合、各参照信号に異なる巡回シフト番号（ｍ）が設定されていれば各信号の分離が可能である。
【０００８】
ZC系列は、上述したように、系列番号の異なるZC系列間では準直交の関係が成り立つものの、系列長が異なるZC系列において、相互相関が高い系列番号の組合せが存在することが知られている。例えば、系列番号（ｕ）と系列長（Ｎ）の比（ｕ／Ｎ）が近い系列の相互相関が高い。このような関係の系列が隣接セルで利用されると、自セルの検出範囲内に大きな干渉ピークが発生する可能性があり、基地局はいずれのセル内の端末から送信された参照信号であるか区別することができないため、チャネル推定結果に誤りが生じる。そこで、非特許文献３及び非特許文献４には、隣接セルからの干渉を軽減することを目的として、図４に示すように、相互相関が高い系列を同一セルに割り当てるグルーピング方法が提案されている（方法２）。この相互相関が高い系列番号をグループとして同じセルに割り当てることにより、隣接セルで相互相関の高い系列番号の利用を避けることができる。
【非特許文献１】Motorola、R1-062610、“Uplink Reference Signal Multiplexing Structures for E-UTRA”、3GPP TSG RAN WG1Meeting #46bis、Soul, Korea, Oct.9-13、2006
【非特許文献２】Panasonic、R1-063183、“Narrow band uplink reference signal sequences and allocation for E-UTRA”、3GPP TSG RAN WG1Meeting #47、Riga,Latcia、November.6-10、2006
【非特許文献３】Huawei、R1-063356、“Sequence Assignment for Uplink Reference Signal”、 3GPP TSG RAN WG1Meeting #47、Riga. Latvia, Nov.6-10、2006
【非特許文献４】LGE、R1-070911、“Binding method for UL RS sequence with different lengths”、 3GPP TSG RAN WG1Meeting #48、St. Louis, USA, Feb.12-16、2007
【発明の開示】
【発明が解決しようとする課題】
【０００９】
しかしながら、上述した方法１及び方法２を同時に適用すると、同期が確立したセル間で干渉が生じる。同期が確立したセルでは、同じ系列番号の異なる巡回シフト系列を利用する一方、同一セル内におけるZC系列の各帯域幅では相互相関の高い系列番号を割り当てる（図５参照）。このとき、隣接セルから到来する干渉波の相関ピーク（干渉波ピーク）は予め設定された巡回シフト系列の検出窓（希望波ピークの検出窓）に発生する可能性は低く、この干渉波ピークが自セルに割り当てられた巡回シフト系列の検出窓に入ると、基地局におけるチャネル推定精度が大きく劣化する（図６参照）。
【００１０】
この理由として、各セル及び各送信帯域幅で異なる基準点を用いて、巡回シフト系列が割り当てられていることが挙げられる。すなわち、セル毎に割り当てられたRB送信帯域の帯域幅（RB数）のみを基準として巡回シフト系列が生成される。このため、隣接セルのRB送信帯域が異なる場合、相関演算時に系列間の相対的な関係が崩れ、干渉波ピークが希望波ピークの検出窓に発生する。干渉波ピークが希望波ピークの検出窓に発生した場合、希望波と干渉波の遅延プロファイルを分離することができないため、チャネル推定精度が劣化してしまう。
【００１１】
ここで、RB送信帯域とは、ある時点において送信局に対しZC系列データ送信に割り当てられる周波数帯域であり、RB（Resource Block）とは１つあるいは１つ以上のサブキャリアで構成される周波数領域の帯域割当単位である。
【００１２】
また、セル間で同じ帯域幅のRB送信帯域に異なる巡回シフトZC系列が割り当てられた場合、この巡回シフトZC系列間においても同様の問題が生じる。つまり、干渉波の相関値ピークがあらかじめ時間領域で設定されたシフト量とは異なる位置に発生し、希望波のチャネル推定精度が劣化してしまう。
【００１３】
本発明の目的は、干渉波ピークが自セルに割り当てられた巡回シフト系列の検出窓に入ることを防止し、基地局におけるチャネル推定精度を向上させる無線通信端末装置、無線通信基地局装置及び無線通信方法を提供することである。
【課題を解決するための手段】
【００１４】
本発明の無線通信端末装置は、予め設定された周波数と参照信号の送信帯域との周波数差に相当する位相回転又は巡回シフトを参照信号に付加する付加部と、位相回転又は巡回シフトが付加された前記参照信号を送信する送信部と、を具備する構成を採る。
【００１５】
本発明の無線通信基地局装置は、予め設定された周波数を基準点とし、前記基準点と無線通信端末装置に割り当てた参照信号の送信帯域との周波数差δに相当する位相回転又は巡回シフトが加えられた巡回シフト系列を用いて、受信信号に含まれる参照信号を除算し、相関値を算出する除算手段と、算出された相関値のうち、所望の系列の相関値が存在する区間の相関値を抽出する抽出手段と、を具備する構成を採る。
【００１６】
本発明の無線通信方法は、予め設定された周波数を基準点とし、前記基準点と無線通信端末装置から送信する参照信号の送信帯域との周波数差δに相当する位相回転又は巡回シフトを参照信号に付加する付加工程と、位相回転又は巡回シフトが付加された前記参照信号を巡回シフト系列として無線通信端末装置から送信する送信工程と、前記巡回シフト系列を用いて、受信信号に含まれる参照信号を除算し、相関値を算出する除算工程と、算出された相関値のうち、所望の系列の相関値が存在する区間の相関値を抽出する抽出工程と、を具備するようにした。
【発明の効果】
【００１７】
本発明によれば、干渉波ピークが自セルに割り当てられた巡回シフト系列の検出窓に入ることを防止し、基地局におけるチャネル推定精度を向上させることができる。
【発明を実施するための最良の形態】
【００１８】
以下、本発明の実施の形態について、図面を参照して詳細に説明する。
【００１９】
（実施の形態１）
本発明の実施の形態１に係る端末１００の構成について、図７を用いて説明する。受信ＲＦ１０２部は、アンテナ１０１を介して受信した信号にダウンコンバート、Ａ／Ｄ変換等の受信処理を施し、受信処理を施した信号を復調部１０３に出力する。復調部１０３は、受信ＲＦ部１０２から出力された信号に等化処理、復調処理を施し、これらの処理を施した信号を復号部１０４に出力する。復号部１０４は、復調部１０３から出力された信号に復号処理を施し、データ信号及び制御情報を抽出する。また、抽出された制御情報のうち、ＲＢ（Resource Block）割当情報が参照信号生成部１０８の位相回転付加部１１０及びマッピング部１１１に出力される。
【００２０】
符号化部１０５は、送信データを符号化し、符号化データを変調部１０６に出力する。変調部１０６は、符号化部１０５から出力された符号化データを変調し、変調信号をＲＢ割当部１０７に出力する。ＲＢ割当部１０７は、変調部１０６から出力された変調信号をＲＢに割り当て、ＲＢに割り当てた変調信号を多重化部１１４に出力する。
【００２１】
参照信号生成部１０８は、ＤＦＴ部１０９、位相回転付加部１１０、マッピング部１１１、ＩＦＦＴ部１１２、巡回シフト部１１３を備えており、復号部１０４から出力されたＲＢ割当情報に基づいて、ZC系列から参照信号を生成し、生成した参照信号を多重化部１１４に出力する。以下、参照信号生成部１０８の内部構成について説明する。
【００２２】
ＤＦＴ部１０９は、ZC系列を生成するZC系列生成部（図示せぬ）から出力されたZC系列にＤＦＴ処理を施し、時間領域から周波数領域の信号に変換し、周波数領域に変換したZC系列を位相回転付加部１１０に出力する。ここで、図示せぬＺＣ系列生成部は、復号部１０４で抽出された制御情報のうち、RB割当情報を用いて送信帯域幅を特定し、送信帯域幅に対応するZC系列長Ｎを特定する。また、復号部１０４で抽出された制御情報のうち、所属するセルに割り当てられた系列番号を表す情報を用いて系列番号を特定する。これらの系列長及び系列番号を用いて、ZC系列生成部はZC系列を生成し、ＤＦＴ部１０９に出力する。
【００２３】
なお、ZC系列のフーリエ変換対はZC系列に写像される関係にあるため、以下の説明では、直接周波数領域で生成されるZC系列を用いて説明する。つまり、ＤＦＴ部１０９から出力される巡回シフトを含まないZC系列は、式（３）で表され、ＤＦＴ部１０９の前段に巡回シフト部１１３が存在する構成ではＤＦＴ部１０９から出力された信号が式（４）となる。
【００２４】
位相回転付加部１１０は、システム帯域内で便宜的に定めた周波数を基準点としたとき、基準点と参照信号の送信帯域との周波数差δに相当する位相回転をＤＦＴ部１０９から出力されたZC系列に付加し、位相回転を付加したZC系列をマッピング部１１１に出力する。
【００２５】
なお、基準点となる周波数はサブキャリアと読み替えることができ、また、基準点となる周波数は複数のセル間で共通の値を用いる。
【００２６】
マッピング部１１１は、復号部１０４から出力されたRB割当情報に基づいて、位相回転付加部１１０から出力されたZC系列を端末１００の送信帯域に対応した帯域にマッピングし、マッピングしたZC系列をＩＦＦＴ部１１２に出力する。ＩＦＦＴ部１１２は、マッピング部１１１から出力されたZC系列にＩＦＦＴ（Inverse Fast Fourier Transform）処理を施し、ＩＦＦＴ処理を施したZC系列を巡回シフト部１１３に出力する。
【００２７】
巡回シフト部１１３は、ＩＦＦＴ部１１２から出力されたZC系列を所定のシフト量分巡回シフトし、巡回シフトしたZC系列を参照信号として多重化部１１４に出力する。シフト量は、例えば、基地局から通知される制御情報を用いて特定する。
【００２８】
多重化部１１４は、ＲＢ割当部１０７から出力された送信データ（変調信号）と巡回シフト部１１３から出力されたZC系列（参照信号）とを時間多重し、多重信号を送信ＲＦ部１１５に出力する。なお、多重化部１１４における多重化方法は、時間多重に限らず、周波数多重、符号多重、複素空間上のＩＱ多重であってもよい。
【００２９】
送信ＲＦ部１１５は、多重化部１１４から出力された多重信号にＤ／Ａ変換、アップコンバート、増幅等の送信処理を施し、送信処理を施した信号をアンテナ１０１から無線送信する。
【００３０】
ここで、参照信号生成部１０８においてZC系列に位相回転を付加する理由について説明する。まず、図８に示すように、ZC系列の送信帯域を基準点からδサブキャリア離れた位置とすると、基準点を考慮したZC系列は周波数領域において以下の式（５）で表される。
【数５】
2008136184.tif 000086
【００３１】
上式（５）において、Ｎは系列長（素数）であり、ｋはサブキャリア番号（ｋ＝０，１，２，．．．，Ｎ−１）である。また、上式（５）において、右辺の第１項は送信帯域を考慮しないZC系列（式（４）で表したＦｕ，ｍ（ｋ））を表し、ピーク位置は初期設定の巡回シフト量に対応して決定される。また、第２項はサブキャリアｋに依存しない定数項であり、ピーク位置を移動させる要素ではない。さらに、第３項は送信帯域に依存する位相回転の項であり、この第３項によって、相関演算で利用する自セルのZC系列の要素と、隣接セルのZC系列の要素とが、異なる帯域に割り当てられる場合でも、これらのZC系列を同じ関係に保つことができる。なお、第３項の位相回転項は自端末の送信帯域、系列番号、系列長に依存するものであり、他の端末の送信帯域等に依存するものではない。つまり、端末は上式（５）における右辺の第１項及び第３項を送信すればよい。例えば、以下の式（６）のように第１項に第３項の位相回転を付加して送信する。
【数６】
2008136184.tif 000087
【００３２】
なお、上式（５）の右辺の定数項（第２項）を付加して送信してもよい。また、付加する定数項は上記に限定する必要はない。また、基準点と端末１００から送信する参照信号の送信帯域との周波数差に相当するδを利用して、式（４）の左辺のｋにｋ＋δを代入して送信してもよい。
【００３３】
なお、上式（５）における第３項の位相回転項は自端末の送信帯域、系列番号、系列長に依存するものであり、他の端末の送信帯域等に依存するものではない。
【００３４】
次に、本発明の実施の形態１に係る基地局１５０の構成について、図９を用いて説明する。符号化部１５１は、送信データ及び制御信号を符号化し、符号化データを変調部１５２に出力する。変調部１５２は、符号化データを変調し、変調信号を送信ＲＦ部１５３に出力する。送信ＲＦ部１５３は、変調信号にＤ／Ａ変換、アップコンバート、増幅等の送信処理を施し、送信処理を施した信号をアンテナ１５４から無線送信する。
【００３５】
受信ＲＦ部１５５は、アンテナ１５４を介して受信した信号にダウンコンバート、Ａ／Ｄ変換等の受信処理を施し、受信処理を施した信号を分離部１５６に出力する。
【００３６】
分離部１５６は、受信ＲＦ部１５５から出力された信号を参照信号と、データ信号及び制御信号とに分離し、分離した参照信号をＤＦＴ（Discrete Fourier Transform）部１５７に、データ信号及び制御信号をＤＦＴ部１６４にそれぞれ出力する。
【００３７】
ＤＦＴ部１５７は、分離部１５６から出力された参照信号にＤＦＴ処理を施し、時間領域から周波数領域の信号に変換し、周波数領域に変換した参照信号を伝搬路推定部１５８のデマッピング部１５９に出力する。
【００３８】
伝搬路推定部１５８は、デマッピング部１５９、除算部１６０、ＩＦＦＴ（Inverse Fast Fourier Transform）部１６１、マスク処理部１６２、ＤＦＴ部１６３を備え、ＤＦＴ部１５７から出力された参照信号に基づいて、伝搬路を推定する。以下、伝搬路推定部１５８の内部構成について具体的に説明する。
【００３９】
デマッピング部１５９は、ＤＦＴ部１５７から出力された信号から各端末の送信帯域に対応した部分を抽出し、抽出した各信号を除算部１６０に出力する。
【００４０】
除算部１６０は、基準点と送信帯域との周波数差δに相当する位相回転が加えられたZC系列を用いて、デマッピング部１５９から出力された信号を除算し、除算結果（相関値）をＩＦＦＴ部１６１に出力する。すなわち、除算部１６０で用いるZC系列は、端末１００において式（５）で表されるZC系列が送信された場合は式（５）のZC系列を用い、端末１００において式（６）で表されるZC系列が送信された場合は式（６）のZC系列を用いる。なお、送信時と同一のZC系列で除算するため、定数項が付加された式（５）のZC系列、あるいは、定数項が付加されない式（６）のZC系列のいずれを用いた場合においても、希望波の複素プロファイル検出（チャネル推定）を正しく行うことができる。
【００４１】
ＩＦＦＴ部１６１は、除算部１６０から出力された信号にＩＦＦＴ処理を施し、ＩＦＦＴ処理を施した信号をマスク処理部１６２に出力する。
【００４２】
抽出手段としてのマスク処理部１６２は、ＩＦＦＴ部１６１から出力された信号にマスク処理を施すことにより、所望の系列の相関値が存在する区間（検出窓）の相関値を抽出し、抽出した相関値をＤＦＴ部１６３に出力する。
【００４３】
ＤＦＴ部１６３は、マスク処理部１６２から出力された相関値にＤＦＴ処理を施し、ＤＦＴ処理を施した相関値を周波数領域等化部１６６に出力する。なお、ＤＦＴ部１６３から出力された信号は、伝搬路の周波数応答を表すものである。
【００４４】
ＤＦＴ部１６４は、分離部１５６から出力されたデータ信号及び制御信号にＤＦＴ処理を施し、時間領域から周波数領域の信号に変換し、周波数領域に変換したデータ信号及び制御信号をデマッピング部１６５に出力する。
【００４５】
デマッピング部１６５は、ＤＦＴ部１６４から出力された信号から各端末の送信帯域に対応した部分のデータ信号及び制御信号が抽出され、抽出された各信号を周波数領域等化部１６６に出力する。
【００４６】
周波数領域等化部１６６は、伝搬路推定部１５８内のＤＦＴ部１６３から出力された信号（伝搬路の周波数応答）を用いて、デマッピング部１６５から出力されたデータ信号及び制御信号に等化処理を施し、等化処理を施した信号をＩＦＦＴ部１６７に出力する。
【００４７】
ＩＦＦＴ部１６７は、周波数領域等化部１６６から出力されたデータ信号及び制御信号にＩＦＦＴ処理を施し、ＩＦＦＴ処理を施した信号を復調部１６８に出力する。復調部１６８は、ＩＦＦＴ処理が施された信号に復調処理を施し、復調処理を施した信号を復号部１６９に出力する。復号部１６９は、復調処理が施された信号に復号処理を施し、受信データを抽出する。
【００４８】
ここで、伝搬路推定部１５８における除算部１６０について式を用いて説明する。例えば、図１０に示すように、希望波（式（６）でｕ１，Ｎ１が利用されるZC系列）がセル＃１から送信され、干渉波（式（６）でｕ２，Ｎ２が利用されるZC系列）がセル＃２から送信され、これらが合成されて基地局で受信される場合を想定する。このとき、干渉波のZC系列（ｕ２，Ｎ２）を除算部１６０において希望波のZC系列（ｕ１，Ｎ１）で除算処理を行うと、相互相関が高い組み合わせ、つまり、ｕ１／Ｎ１≒ｕ２／Ｎ２≒ｕ／Ｎの関係を満たしている場合には、除算部１６０における干渉波の周波数応答は以下の式（７）で表される。
【数７】
2008136184.tif 000088
【００４９】
上式（７）において、右辺第２項のConstはサブキャリアｋに依存する項ではないため、干渉波ピークの位置に無関係であるが、右辺第１項によって、干渉波ピークを希望波ピークから時間領域において（ｍ２−ｍ１）Δサンプル離れた位置に発生させることができる。これにより、図１１に示すように、干渉波ピークを希望波の検出窓外に発生させることができ、自セルの信号を分離することができるので、チャネル推定精度を向上させることができる。
【００５０】
以下、本実施の形態に係るZC系列生成方法により、送信帯域にかかわらず、希望波と干渉波の相関ピークの位置を所定の巡回シフト量の関係に維持できることを詳細に説明する。
【００５１】
従来方式では、例えば、セル＃１から希望波（系列番号ｕ１、系列長Ｎ１、巡回シフト番号ｍ１）、セル＃２から干渉波（系列番号ｕ２、系列長Ｎ２、巡回シフト番号ｍ２）が図１２に示すRB送信帯域で送信され、セル＃２のZC系列がセル＃１で受信されることを想定する。ここで、式（４）で表されるZC系列が送信周波数帯にかかわらず、それぞれのセルで生成される。
【００５２】
この場合、セル＃２のZC系列の先頭のスペクトラム値はセル＃１のZC系列の１３番目のスペクトラム値で除算される。なお、これらが相互相関の高い組み合わせ、つまり、ｕ１／Ｎ１≒ｕ２／Ｎ２≒ｕ／Ｎの関係を満たしている場合、セル＃２のZC系列の相関値ピークはあらかじめ時間領域で設定された巡回シフト量とは異なる位置に発生する。これを式で示すと以下の式（８）になる。ただし、Constは定数項を表す。
【数８】
2008136184.tif 000089
【００５３】
ここで、第１項、第２項はサブキャリアｋに依存する項であり、周波数領域でサブキャリア毎に比例した位相回転を与える。周波数領域での位相回転は、時間領域での巡回シフトに相当し、相関値のピーク位置に影響を与える項である。一方、第３項はサブキャリアｋに依存しない項であり、相関値のピーク位置に影響を与えない項である。
【００５４】
なお、第１項は巡回シフト番号ｍ２及びｍ１に依存する項であり、各セルで与えられる巡回シフト番号によって相関値のピーク位置を決定できる。しかしながら、第２項はRB送信帯域に依存する項であり、セル間でRB送信帯域が同じ場合はδ２-δ１＝０となるため、相関値のピーク位置に影響を与えないが、RB送信帯域が異なる場合はδ２-δ１≠０となる。このとき、第２項が１＋ｊ０以外の値となる場合は、希望波と干渉波のピーク位置の関係が崩れ、干渉波が希望波の検出窓内に生じる可能性がある。干渉波ピークが希望波ピークの検出窓に発生した場合、希望波と干渉波の遅延プロファイルを分離することができないため、チャネル推定精度が劣化してしまう。
【００５５】
このように、従来方式では、ZC系列及び巡回シフト系列は、送信帯域幅（RB数）のみに基づいて生成及び送信される。したがって、相関演算で利用する自セルのZC系列の要素と、隣接セルのZC系列の要素とが、異なる帯域に割り当てられる場合には、これらのZC系列の相対的な関係が保たれていない。
【００５６】
上式（５）に示した巡回シフトZC系列生成方法を用いた場合、従来方式の説明と同様に、例えば、セル＃１から希望波（系列番号ｕ１、系列長Ｎ１、巡回シフト番号ｍ１）、セル＃２から干渉波（系列番号ｕ２、系列長Ｎ２、巡回シフト番号ｍ２）が図１２に示すRB送信帯域で送信され、セル＃２のZC系列がセル＃１で受信されることを想定する。これを式で示すと以下の式（９）になる。ただし、Constは定数項を表す。
【数９】
2008136184.tif 000090
【００５７】
ここで、第１項はサブキャリアｋに依存する項であり、周波数領域でサブキャリア毎の位相回転の項である。周波数領域での位相回転は、時間領域での巡回シフトに相当し、相関値のピーク位置に影響する項である。また、第１項は巡回シフト番号ｍ２及びｍ１に依存する項であり、各セルで与えられる巡回シフト番号に依存する項である。一方、第２項はサブキャリアｋに依存しない項であり、相関値のピーク位置に影響を与えない項である。
【００５８】
式（９）より、上式（５）に示した巡回シフトZC系列生成方法を用いた場合は、従来方式での式（８）の第２項、つまり、RB送信帯域δ１及びδ２に依存する項が生じないため、干渉波ピークと希望波ピークの位置の関係を巡回シフト番号ｍ１及びｍ２にのみ依存させることができる。よって、干渉波ピークを希望波ピークの検出窓の外側に発生させることができ、希望波と干渉波の遅延プロファイルを分離できるため、チャネル推定精度を改善することができる。また、式（６）に示した巡回シフトZC系列生成方法を用いた場合は、式（７）となる。
【００５９】
このように、ZC系列及び巡回シフトZC系列は、送信帯域幅（ＲＢ数）に加えて、送信帯域つまり周波数（サブキャリア）位置に基づいて生成及び送信される。したがって、相関演算で利用する自セルのZC系列の要素と、隣接セルのZC系列の要素とが、異なる帯域に割り当られる場合であっても、これらのZC系列の相対的な関係が保たれる。
【００６０】
このように実施の形態１によれば、基準となる周波数を設定し、この周波数を基準点として、基準点と参照信号の送信帯域の周波数差δに相当する位相回転を周波数領域においてZC系列に与えることにより、受信側において、隣接セルからの干渉波ピークを希望波ピークの検出窓外に発生させることができ、自セルの信号を分離することができるので、チャネル推定精度を向上させることができる。換言すれば、各端末は送信帯域及び送信帯域幅に応じてZC系列を用いて参照信号を生成及び送信し、基地局は、各端末から送信される送信帯域及び送信帯域幅に応じたZC系列を用いて除算処理を行うことにより、隣接セルからの干渉波ピークと希望波ピークが異なる検出窓に現れるようにすることができる。
【００６１】
また、本実施の形態では、端末１００における参照信号生成部１０８を図７に示すものとして説明したが、図１３Ａ及び図１３Ｂに示すような構成でもよい。図１３Ａに示す位相回転部は、初期設定の巡回シフト系列に対応する位相回転量を各サブキャリアに割り当てる。すなわち、割り当てられた巡回シフト系列を生成するための巡回シフトを時間領域では行わず、周波数領域で巡回シフト量に対応する位相回転量分の位相回転を行う。なお、位相回転付加部と位相回転部は２つに分かれて個別に位相回転を行う構成でなくてもよい。例えば、１つの位相回転部において、巡回シフト量に対応する位相回転量と、基準点と参照信号の送信帯域の周波数差δに相当する位相回転量とを合わせて周波数領域で位相回転を行う構成としてもよい。また、位相回転付加部と位相回転部の順番が入れ替わっていてもよい。また、図１３Ｂに示すように、周波数領域に変換する前に所定の巡回シフト量でZC系列に巡回シフトを行う構成としてもよい。これらの構成でも干渉波ピークを希望波ピークの検出窓外に発生させることができる。
【００６２】
また、上記基地局及び端末の構成は、ZC系列を時間領域において生成する場合について説明したが、これに限るものではなく、周波数領域においてZC系列を生成してもよい。すなわち、ZC系列生成部で周波数領域におけるZC系列を生成し、生成した周波数領域におけるZC系列に対して、位相回転部は基準点と参照信号の送信帯域との周波数差δに相当する位相回転を行う構成であってもよい。なお、これらの構成に限定するものではない。
【００６３】
また、本発明は、上述した基地局の構成に限定するものではなく、本発明が適用できる構成であればよい。例えば、除算部１６０において、基準点と送信帯域との周波数差δに相当する位相回転が加えられたZC系列（式（５）あるいは式（６））ではなく、位相回転を加える前のZC系列（式（３））を用いて除算処理を行うことも可能である。この場合、所望系列の相関値が存在する区間（検出窓の範囲）が巡回シフト量ｍΔだけではなく、送信帯域に対応した位相回転量によっても異なるため、マスク処理部１６２において、巡回シフト量ｍΔ及び送信帯域に対応した位相回転量を考慮し、所望系列の相関値が存在する区間（検出窓）の相関値を抽出する構成とすることで、上記基地局の構成と等価な処理が可能である。
【００６４】
（実施の形態２）
実施の形態１では、フレーム同期が確立した全てのセル及び各端末の送信帯域幅に対して基準点を設定し、基準点と参照信号の送信帯域の周波数差δに相当する位相回転を周波数領域においてZC系列に与える場合について説明したが、本発明の実施の形態２では、基準点と参照信号の送信帯域の周波数差δに相当する巡回シフトを時間領域においてZC系列に与える場合について説明する。なお、本発明の実施の形態２に係る基地局の構成は、実施の形態１の図９に示した構成と同様であるので、その詳細な説明は省略する。
【００６５】
本発明の実施の形態２に係る端末２００の構成について、図１４を用いて説明する。図１４が図７と異なる点は、位相回転付加部１１０を削除し、巡回シフト付加部２０１を追加した点である。
【００６６】
巡回シフト付加部２０１は、基準点と参照信号の送信帯域との周波数差δに相当する巡回シフトをZC系列に付加し、巡回シフトを付加したZC系列をＤＦＴ部１０９に出力する。以下、巡回シフト付加部２０１の処理について、式を用いて説明する。
【００６７】
まず、一般的に、時間領域における巡回シフトZC系列、つまり、ZC-ZCZ系列は以下の式（１０）によって表される。
【数１０】
2008136184.tif 000091
式（１０）において、Ｎは系列長を、ｒは時間領域のZC系列番号をそれぞれ表し、Ｎとｒは互いに素である。また、ｍは巡回シフト番号を、Δは巡回シフト量をそれぞれ表す。
【００６８】
ここで、上記のf(k,Ｘ)のＸは基準点となる周波数（サブキャリア）とZC系列の送信帯域における周波数差、つまり、δサブキャリアを表すが、式（１０）は基準点を送信帯域としているため、周波数差をδ＝０として表記している。
【００６９】
式（６）を時間領域に変換すると、以下の式（１１）によって表される。ただし、Ｃｏｎｓｔは定数項を表す。
【数１１】
2008136184.tif 000092
【００７０】
なお、基準点と参照信号の送信帯域の周波数差δに相当する位相回転を周波数領域で与えることが、周波数差δに相当する巡回シフトを時間領域でZC系列に与えることと等価であることは式（１２）のフーリエ変換対の関係から得られる。
【数１２】
2008136184.tif 000093
【００７１】
式（１１）は、式（１０）のZC系列に基準点と参照信号の送信帯域の周波数差δに相当する巡回シフトを時間領域において加えたものに相当する。よって、巡回シフト付加部２０１は、式（１０）のZC系列に巡回シフト（−ｕδ）を時間領域において付加する。
【００７２】
このように実施の形態２によれば、基準点と参照信号の送信帯域の周波数差δに相当する巡回シフトを時間領域においてZC系列に与えることにより、受信側において、隣接セルからの干渉波ピークを希望波ピークの検出窓外に発生させることができ、自セルの信号を分離することができるので、チャネル推定精度を向上させることができる。
【００７３】
なお、本実施の形態では、端末２００における参照信号生成部１０８を図１４に示すものとして説明したが、図１５Ａ〜Ｃに示すような構成でもよい。図１５Ａは、巡回シフト付加部及び巡回シフト部をＤＦＴ部の前段に配置し、巡回シフト付加部において基準点と参照信号の送信帯域の周波数差δに相当する巡回シフトをZC系列に対して時間領域で与える構成である。なお、巡回シフト付加部と巡回シフト部は２つに分かれて個別に巡回シフトを行う構成でなくてもよい。例えば、１つの巡回シフト部として、巡回シフト量に対応する巡回シフト量と、基準点と参照信号の送信帯域の周波数差δに相当する巡回シフト量とを合わせて時間領域で巡回シフトを行う構成としてもよい。
【００７４】
また、図１５Ｂに示すように、巡回シフト部及び巡回シフト付加部をＩＦＦＴ部の後段に配置する構成、及び、図１５Ｃに示すように、巡回シフト部をＤＦＴ部の前段、巡回シフト付加部をＩＦＦＴ部の後段に配置する構成でもよい。また、巡回シフト付加部をＤＦＴ部の前段、巡回シフト部をＩＦＦＴ部の後段に配置する構成でもよい。なお、巡回シフト付加部をＩＦＦＴ部の後段に配置する場合は、入力信号に対して周波数差δに相当する巡回シフトをオーバーサンプリングに対応した巡回シフト量に変更して時間領域で付加する。なお、上記の構成において巡回シフト付加部と巡回シフト部の順番が入れ替わっていてもよい。これらの構成でも、干渉波ピークを希望波ピークの検出窓外に発生させることができる。
【００７５】
（実施の形態３）
本発明の実施の形態３では、基準点と参照信号の送信帯域の周波数差δに相当する巡回シフトを周波数領域においてZC系列に与える場合について説明する。なお、本発明の実施の形態３に係る基地局の構成は、実施の形態１の図９に示した構成と同様であるので、その詳細な説明は省略する。
【００７６】
本発明の実施の形態３に係る端末３００の構成について、図１６を用いて説明する。図１６が図７と異なる点は、位相回転付加部１１０を巡回シフト付加部３０１に変更した点である。
【００７７】
巡回シフト付加部３０１は、基準点と参照信号の送信帯域との周波数差δに相当する巡回シフトをＤＦＴ部１０９から出力されたZC系列に付加し、巡回シフトを付加したZC系列をマッピング部１１１に出力する。
【００７８】
ここで、上式（４）を変換すると、以下の式（１３）が導かれる。
【数１３】
2008136184.tif 000094
【００７９】
上式（１３）は、上式（４）で表されるZC系列に周波数差δに相当する巡回シフト量を周波数領域において与えたものに相当する。つまり、上式（４）に周波数差δに相当する巡回シフト量を付加したものを送信すればよい。なお、巡回シフト付加部３０１は、ZC系列に巡回シフト（δ）を周波数領域において付加する。
【００８０】
なお、基準点と参照信号の送信帯域の周波数差δに相当する位相回転を周波数領域で与えることと、周波数差δに相当する巡回シフトを周波数領域で与えることが等価であることは、式（５）及び式（１３）から明確である。つまり、式（５）の位相回転項が式（１３）では巡回シフトの形式で表され、これが等価な変換であることが分かる。なお、希望波及び干渉波を異なるRB送信帯域で送信する場合に、これらのZC系列のｋインデックスが周波数領域で対応するように巡回シフトを施している。例えば、希望波がｋ＝７で始まるZC系列である場合は、干渉波もｋ＝７で始まるZC系列とする。
【００８１】
図１０に示したように、希望波（式（８）で系列番号ｕ１，系列長Ｎ１，巡回シフト番号ｍ１が利用されるZC系列）がセル＃１から送信され、干渉波（式（８）で系列番号ｕ２，系列長Ｎ２，巡回シフト番号ｍ２が利用されるZC系列）がセル＃２から送信され、これらが合成されて基地局で受信される場合を想定する。このとき、除算部１６０において干渉波のZC系列（ｕ２，Ｎ２，ｍ２）を希望波のZC系列（ｕ１，Ｎ１，ｍ１）で除算処理を行うと、相互相関が高い組み合わせ、つまり、ｕ１／Ｎ１≒ｕ２／Ｎ２≒ｕ／Ｎの関係を満たしている場合には、除算部１６０における干渉波の周波数応答は以下の式（１４）で表すことができる。
【数１４】
2008136184.tif 000095
ここで、Ｆ（ｋ＋δ１）、Ｆ（ｋ＋δ２）はＦ（ｋ）にδ１、δ２の巡回シフトを加えたものである。また、（δ２-δ１）はRB送信帯域の差を表す。上式（１４）において、右辺第２項はサブキャリアｋに依存する項ではないため、干渉波ピークの位置に影響を与えない。よって、干渉波ピークの位置は右辺第１項によってのみ決定されるため、希望波ピークから時間領域において（ｍ２−ｍ１）Δサンプル離れた位置に発生させることができる。
【００８２】
したがって、図１１に示したように、干渉波ピークを希望波の検出窓外に発生させることができ、自セルの信号を分離することができるので、チャネル推定精度を向上させることができる。
【００８３】
このように実施の形態３によれば、基準点と参照信号の送信帯域の周波数差δに相当する巡回シフトを周波数領域においてZC系列に与えることにより、受信側において、隣接セルからの干渉波ピークを希望波ピークの検出窓外に発生させることができ、自セルの信号を分離することができるので、チャネル推定精度を向上させることができる。
【００８４】
なお、図１６に示した参照信号生成部１０８は、図１３に示した位相回転付加部を巡回シフト付加部に変更した構成であってもよい。巡回シフト付加部での動作は上記と同様である。
【００８５】
（実施の形態４）
本発明の実施の形態４では、基準点と参照信号の送信帯域の周波数差δに相当する位相回転を時間領域においてZC系列に与える場合について説明する。なお、本発明の実施の形態４に係る基地局の構成は、実施の形態２の図９に示した構成と同様であるので、その詳細な説明は省略する。
【００８６】
本発明の実施の形態４に係る端末４００の構成について、図１７を用いて説明する。図１７が図１４と異なる点は、巡回シフト付加部２０１を位相回転付加部４０１に変更した点である。
【００８７】
位相回転付加部４０１は、基準点と参照信号の送信帯域との周波数差δに相当する位相回転をZC系列に付加し、位相回転を付加したZC系列をＤＦＴ部１０９に出力する。
【００８８】
ここで、実施の形態３に示した式（１３）を変換すると、以下の式（１５）が導かれる。
【数１５】
2008136184.tif 000096
【００８９】
上式（１５）は、ZC系列に周波数差δに相当する位相回転を時間領域において与えたものである。よって、位相回転付加部４０１は、周波数差δに相当する位相回転を時間領域においてZC系列に付加する。つまり、以下の式（１６）のように上式（５）のZC系列に時間領域で位相回転を付加して送信する。
【数１６】
2008136184.tif 000097
【００９０】
なお、基準点と参照信号の送信帯域の周波数差δに相当する巡回シフトを周波数領域で与えることが、周波数差δに相当する位相回転を時間領域でZC系列に与えることと等価であることは式（１２）のフーリエ変換対の関係から得られる。つまり、チャネル推定結果は式（１４）と同じ結果となる。
【００９１】
このように実施の形態４によれば、基準点と参照信号の送信帯域の周波数差δに相当する位相回転を時間領域においてZC系列に与えることにより、受信側において、隣接セルからの干渉波ピークを希望波ピークの検出窓外に発生させることができ、自セルの信号を分離することができるので、チャネル推定精度を向上させることができる。
【００９２】
なお、ZC系列のフーリエ変換対の系列番号ｒ及びｕの間には（ｒ×ｕ）ｍｏｄＮ＝Ｎ−１＝−１（ｍｏｄＮ），r, u = 1,2,…,N-1 が成立するため、式（１６）は次の式（１７）で表される。
【数１７】
2008136184.tif 000098
【００９３】
なお、図１７に示した参照信号生成部１０８は、図１５に示した巡回シフト付加部を位相回転付加部に変更した構成であってもよい。位相回転付加部での動作は上記と同様である。図１５Ａは、位相回転付加部及び巡回シフト部をＤＦＴ部の前段に配置し、位相回転付加部において基準点と参照信号の送信帯域の周波数差δに相当する位相回転をZC系列に対して時間領域で与える構成である。
【００９４】
また、図１５Ｂに示すように、巡回シフト部及び位相回転付加部をＩＦＦＴ部の後段に配置する構成、及び、図１５Ｃに示すように、巡回シフト部をＤＦＴ部の前段、位相回転付加部をＩＦＦＴ部の後段に配置する構成でもよい。また、位相回転付加部をＤＦＴ部の前段、巡回シフト部をＩＦＦＴ部の後段に配置する構成でもよい。なお、位相回転付加部をＩＦＦＴ部の後段に配置する場合は、入力信号に対して周波数差δに相当する位相回転をオーバーサンプリングに対応した位相回転量に変更して時間領域で付加する。なお、上記の構成において位相回転付加部と巡回シフト部の順番が入れ替わっていてもよい。
【００９５】
（実施の形態５）
本発明の実施の形態５では、実施の形態１において参照信号としてCAZAC系列を巡回拡張（Cyclic extension）した系列、または、CAZAC系列をトランケーション（Truncation）した系列を利用する場合について説明する。以下、CAZAC系列のひとつであるZC系列を用いて説明する。ただし、実施の形態５に係る端末及び基地局の構成は、参照信号生成部１０８を除いて実施の形態１の図７及び図９に示した構成と同様であるので、図７及び図９を援用する。
【００９６】
一般に、系列長Ｎが素数であるZC系列をRB送信帯域のサブキャリア数に合わせるため、素数長のZC系列を巡回拡張することにより、RB送信帯域のサブキャリア数の参照信号を生成する方法が検討されている。また、これと同様に、素数長のZC系列を切り詰める、つまり、トランケーションすることにより、RB送信帯域のサブキャリア数の参照信号を生成する方法が検討されている。以下、それぞれの方法で生成される参照信号について説明する。
【００９７】
図１８は、ZC系列の周波数領域における巡回拡張により生成される参照信号を示す図である。ZC系列の巡回拡張により生成される参照信号は、一般に、RB送信帯域幅に対応するサブキャリア数を超えない最大の素数を系列長とするZC系列を利用し、このZC系列の一部を参照信号の送信サブキャリア数に合わせて繰り返す構成をとる。例えば、図１８に示すように、参照信号を送信するサブキャリア数が２４である場合、系列長Ｎ＝２３のZC系列を適用する。そして、このZC系列をサブキャリア数に合わせるために、選択されたZC系列の先頭の１シンボルが末尾に付加され、合計２４サブキャリア分の参照信号を生成する。なお、末尾の１シンボルを先頭に付加する構成であってもよい。
【００９８】
次に、巡回拡張した参照信号を用いる場合の参照信号生成部１０８について図１９Ａを用いて説明する。参照信号生成部１０８は、巡回拡張部を追加した点が実施の形態１の参照信号生成部１０８と異なる。
【００９９】
巡回拡張部は、位相回転付加部の後段に配置され、位相回転付加部で生成された信号が入力され、この入力信号に対して前述の巡回拡張処理を行う。例えば、RB送信帯域が２４サブキャリアである場合、位相回転付加部において系列長Ｎ＝２３のZC系列に対して式（４）の位相回転を施した後、巡回拡張部に出力する。ここで、k は 0, 1,・・・, 22（＝系列長−１）である。巡回拡張部では、前述のように位相回転付加部からの入力信号の巡回拡張処理を行い、２４サブキャリア分のシンボルを位相回転部に出力する。
【０１００】
また、位相回転付加部で付加される位相回転は系列長で一周するため、位相回転付加部から出力されたZC系列を巡回拡張することで、サブキャリア毎に連続した位相回転が付加されることになる。例えば、RB送信帯域が２４サブキャリアである場合、ZC系列の１サンプル目に2π/23(=2πk/N)の位相回転が加えられるとする。このとき、２４サンプル目では2π*24/23、つまり、2π/23が加えられることになる。すなわち、１サンプル目を巡回拡張させることと等価となる。
【０１０１】
なお、図１９Ｂに示すように、巡回拡張部がＤＦＴ部の後段に配置される構成でもよい。これは、巡回拡張が施された後に位相回転付加部で位相回転が付加されても図１９Ａと同じZC系列になるためである。この場合、巡回拡張部では、ＤＦＴ部から入力された系列が巡回拡張され、位相回転付加部では、巡回拡張部から入力された系列に対して式（８）の位相回転が施される。なお、位相回転付加部では、巡回拡張部で巡回拡張されたサンプルも含めて位相回転が施される。例えば、RB送信帯域が２４サブキャリアである場合、系列長Ｎ＝２３のZC系列が２４サブキャリアに合わせて巡回拡張され、この拡張された信号に式（８）が施される。ここで、k は 0, 1,・・・, 23（＝RB送信帯域におけるサブキャリア数−１）である。
【０１０２】
なお、ZC-ZCZ系列の生成に利用する位相回転部は、図２０に示すように、時間領域で巡回シフト部を利用する構成であってもよい。ここで、図２０Ａ及び図２０Ｂでは、巡回シフト部がＩＦＦＴ部の後段に配置され、図２０Ｃ及び図２０Ｄでは、巡回シフト部がＤＦＴ部の前段に配置される構成である。なお、位相回転付加部及び巡回拡張部における処理は図１９の処理と同様である。
【０１０３】
図２１は、ZC系列をトランケーションして生成される参照信号を示す図である。ZC系列をトランケーションすることによる参照信号の生成は、一般に、RB送信帯域におけるサブキャリア数を下回らない最小の素数を系列長とするZC系列を利用し、このZC系列の一部をRB送信帯域におけるサブキャリア数に合うようにトランケートする（切り詰める）。例えば、RB送信帯域が２４サブキャリアである場合、系列長Ｎ＝２９のZC系列が選択される。そして、このZC系列がサブキャリア数に合わせて５シンボルだけ切り詰められる。なお、切り詰める５シンボルは先頭の５シンボル、先頭及び末尾の合計５シンボルを切り詰める構成であってもよい。
【０１０４】
トランケーションにより生成される参照信号を用いる場合の参照信号生成部１０８の構成及び動作について図１９Ａを用いて説明する。ただし、図１９Ａにおける巡回拡張部をトランケーション部に変更したものとして説明する。例えば、RB送信帯域が２４サブキャリアである場合、位相回転付加部では、系列長Ｎ＝２９のZC系列に対して式（８）の位相回転が付加されてトランケーション部に出力される。ここで、k は 0, 1,・・・, 28（＝系列長−１）である。トランケーション部は、前述のように位相回転付加部からの入力信号に対してトランケーション処理を行い、２４サブキャリア分のシンボルを位相回転部に出力する。
【０１０５】
なお、図１９Ｂに示すように、トランケーション部（ここでは、巡回拡張部をトランケーション部に変更）がＤＦＴ部の後段に配置される構成でもよい。これは、トランケーションが施された後に位相回転付加部で位相回転が付加されても図１９Ａと同じZC系列になるためである。この場合、位相回転付加部ではトランケーションされたZC系列が入力され、この入力信号に対して式（８）の位相回転が施される。例えば、RB送信帯域が２４サブキャリアである場合、系列長Ｎ＝２９のZC系列が２４サブキャリアに合わせてトランケーションされ、このトランケーションされた信号に式（８）が施される。ここで、k は 0, 1,・・・, 23（＝RB送信帯域におけるサブキャリア数−１）である。
【０１０６】
なお、ZC-ZCZ系列の生成に利用する位相回転部は、図２０に示すように、時間領域で巡回シフト部を利用する構成であってもよい。ここで、図２０Ａ及び図２０Ｂでは、巡回シフト部がＩＦＦＴ部の後段に配置され、図２０Ｃ、図２０Ｄでは巡回シフト部がＤＦＴ部の前段に配置される構成である。なお、位相回転付加部及び巡回拡張部、又は、トランケーション部における処理は図１９に示した構成における処理と同様である。
【０１０７】
なお、実施の形態２〜４においても同様に巡回拡張及びトランケーションを適用することができる。例えば、実施の形態２においてZC系列として巡回拡張又はトランケーションを利用する場合には、図１４又は図１５に示したＤＦＴ部の後段に巡回拡張部又はトランケーション部を配置する。巡回拡張部又はトランケーション部では、ＤＦＴ部から出力された信号にRB送信帯域のサブキャリア数に合わせて巡回拡張又はトランケーションが施される（図２２参照）。
【０１０８】
また、実施の形態３においてZC系列として巡回拡張又はトランケーションを利用する場合には、図１９又は図２０の位相回転付加部を巡回シフト付加部に変更した構成とする。ここで、巡回拡張部及びトランケーション部の処理は、図１９又は図２０を用いて説明した処理と同様である。つまり、図１９Ａでは、巡回拡張部が巡回シフト付加部の後段に配置され、巡回シフト付加部で生成された信号が巡回拡張される。また、図１９Ｂでは、巡回シフト付加部が巡回拡張部の後段に配置され、巡回拡張されたZC系列が巡回シフトされる（図２３、図２４参照）。
【０１０９】
また、実施の形態４においてZC系列として巡回拡張又はトランケーションを利用する場合には、図１７に示したＤＦＴ部の後段に巡回拡張部又はトランケーション部を配置する。なお、図１５に示した巡回シフト付加部を位相回転付加部に変更した構成においても同様の配置である。巡回拡張部又はトランケーション部では、ＤＦＴ部からの出力信号にRB送信帯域のサブキャリア数に合わせて巡回拡張又はトランケーションが施される（図２５参照）。
【０１１０】
なお、ZC系列の巡回拡張及びトランケーションは、周波数領域ではなく、時間領域で行ってもよい。この場合、実施の形態１〜４と同じ構成でＤＦＴ部１０９の前段に巡回拡張部又はトランケーション部を配置することを除いて、実施の形態１〜４と同様である。
【０１１１】
このように実施の形態５によれば、ZC系列を巡回拡張又はトランケーションして参照信号の系列を生成する場合でも、実施の形態１〜４と同様、受信側において、隣接セルからの干渉波ピークを希望波ピークの検出窓外に発生させることができ、自セルの信号を分離することができるので、チャネル推定精度を向上させることができる。
【０１１２】
なお、ZC系列長をＮ＝２３あるいはＮ＝２９として説明したが、これに限定するものではない。
【０１１３】
なお、上記各実施の形態では、同一系列長のｕ１／Ｎ１＝ｕ２／Ｎ２においても、チャネル推定精度を改善することができる。例えば、フレーム同期が確立する複数のセルで同一系列長の同一系列番号が用いられ、各セルにおいて異なる巡回シフト系列が用いられる場合を想定すると、基地局はセル毎に個別のスケジューリングを行い各端末に周波数リソースを割り当てるため、図２６に示すように、隣接セルにおいて異なる送信帯域でZC系列が送信される可能性が高い。その結果、干渉波ピークは異なる位置に発生し、このピークが所望波の検出窓内に移動した場合にはチャネル推定精度が劣化する。このような場合においても、上記各実施の形態を用いることにより、干渉波ピークが所望波の検出窓内に発生しないので、チャネル推定精度を向上させることができる。
【０１１４】
なお、本発明を１つの帯域幅だけに限定して、これらの系列間のみに適用してもよい。本発明で複数帯域幅の系列間の課題を解決するのではなく、１つの帯域幅の系列間の課題を解決する場合には、複数の帯域幅間で同一の基準点を設けなくても、１つの帯域幅において共通の基準点を設ければよい。例えば、系列長Ｎ＝２３のみに本発明が適用されてもよく、この場合に系列長Ｎ＝２３のみで共通の基準点が設けられていればよい。
【０１１５】
また、上記各実施の形態では、フレーム同期が確立した全てのセルで同一の基準を設定する場合について説明したが、本発明はこれに限らず、フレーム同期が確立しないセルで同じ基準を設定してもよい。また、各端末がサポートする最小送信帯域幅等にかかわらず、フレーム同期が確立する全てのセル及び各送信帯域幅で同一の基準点を設定してもよい。
【０１１６】
この基準点としては、図２７Ａに示すように、基準点をシステム送信帯域幅内のＤＣ成分サブキャリアとしてもよいし、図２７Ｂに示すように、システム送信帯域幅（例えば、２０ＭＨｚ）の一番端のサブキャリとしてもよい。なお、この場合、システム送信帯域（２０ＭＨｚ）をサポートしていない端末も基準点をシステム送信帯域幅（２０ＭＨＺ）の一番端のサブキャリアとする。
【０１１７】
また、セル間で同一の周波数（絶対値）あるいはサブキャリアを基準点にするかぎりにおいて、任意の周波数（サブキャリア）を基準点として選ぶことができる。基準点となる周波数（サブキャリア）はシステム帯域の外側であってもよい。
【０１１８】
また、上記各実施の形態では、フレーム同期が確立しているセル間（例えば、同一基地局に属するセル）に同一系列番号（ｕ）の異なる巡回シフト系列（ｍ）を割り当てる方法と、相互相関が高い系列を同一セルに割り当てるグルーピング方法とを組み合わせた場合について説明したが、本発明はこれに限らず、フレーム同期が確立したセル内において、相互相関の高い系列番号が用いられる場合にも適用することができる。
【０１１９】
また、上記各実施の形態における基準点と送信帯域の周波数差δに相当する位相回転又は巡回シフトは、ZC系列におけるｑｋの項に設定してもよい。具体的には、上記実施の形態において付加した位相回転の項を上式（４）のｑｋの項として、以下の式（１８）で表される。
【数１８】
2008136184.tif 000099
なお、ZC系列を適当なｑｋで生成後に実施の形態１〜４に示した位相回転又は巡回シフトを加えてもよいし、ZC生成時にｑｋに実施の形態１〜４に示した位相回転又は巡回シフトを加えてもよい。また、ZC系列は以下の式（１９）で表されてもよい。
【数１９】
2008136184.tif 000100
また、上式（１１）は、以下の式（２０）で用いられてもよい。
【数２０】
2008136184.tif 000101
【０１２０】
上式のように、上記各実施の形態において、端末は、参照信号生成部においてZC系列で表される参照信号を生成する。生成される参照信号は、送信帯域幅に応じて特定される系列長Ｎ、各セルに割り当てられた系列番号（周波数領域における系列番号ｕ若しくは時間領域における系列番号ｒ）、各セルに割り当てられた巡回シフト量Δｍ、送信帯域に応じて特定されるδ、の４つの変数によって表されるZC系列となる。このように、各端末は、送信帯域幅（系列長）、送信帯域（基準点からの周波数差）、系列番号、巡回シフト量を用いてZC系列を生成することにより、他端末から送信される参照信号との相対関係を一定に保つことができるため、基地局におけるチャネル推定精度を向上させることができる。
【０１２１】
また、上式（３）は以下の式（２１）で表されることもある。
【数２１】
2008136184.tif 000102
この場合、上式（４）は以下の式（２２）で表される。
【数２２】
2008136184.tif 000103
つまり、実施の形態１の場合には、上式（２１）に位相回転が付加されて送信される。このことを以下の式（２３）に示す。
【数２３】
2008136184.tif 000104
なお、上式（１０）及び上式（１１）は以下の式（２４）、式（２５）で表され、式（２５）は式（２４）のZC系列に巡回シフト（−ｕδ）を時間領域において付加して送信される。
【数２４】
2008136184.tif 000105
【数２５】
2008136184.tif 000106
なお、上式（１３）は以下の式（２６）で表され、上式（２１）のZC系列に巡回シフト（δ）を周波数領域において付加して送信される。
【数２６】
2008136184.tif 000107
なお、上式（１５）は以下の式（２７）で表され、式（２８）のように上式（２４）に位相回転が付加されて送信される。
【数２７】
2008136184.tif 000108
【数２８】
2008136184.tif 000109
【０１２２】
なお、系列生成に用いる基準点は、複数のセル間で共通の場合について説明したが、干渉の影響を低減したいセル間で共通の基準点を適用してもよいし、全てのセルで共通の基準点を適用してもよい。また、複数の基準点が設定されていてもよい。
【０１２３】
なお、上記各実施の形態では、系列長が奇数のZC系列を例に説明したが、系列長が偶数となるZC系列を用いてもよい。また、ZC系列を内包するGCL(Generalized Chirp Like)系列にも適用可能である。さらに、符号系列に対して巡回シフト系列又はZCZ系列を用いる他のCAZAC系列やバイナリ系列に対しても同様に適用可能である。例えば、Frank系列、その他のCAZAC系列（計算機により生成した系列を含む）Ｍ系列及びゴールド系列などのＰＮ系列が挙げられる。
【０１２４】
なお、上記各実施の形態では、CAZAC系列及びその巡回シフト系列を上り回線の参照信号として利用する場合について説明したが、これに限定されるものではない。例えば、上り回線のチャネル品質推定用参照信号、ランダムアクセス用プリアンブル系列、下り回線の同期チャネル用参照信号など、巡回シフトを用い、セル間で異なる送信帯域で送信される場合に対しても同様に適用可能である。
【０１２５】
さらに、CAZAC系列を符号分割多重（CDM）あるいは符号分割多元接続（CDMA）の拡散符号として用いる場合にも同様に適用可能であり、RB送信帯域が異なる場合の相関演算時に系列間の相対的な関係が崩れ、干渉波ピークが希望波ピークの検出窓で検出されることを回避することができる。
【０１２６】
なお、実施の形態１〜５は、巡回シフトの相対関係を維持する方法の一例であり、巡回シフトの相対関係を維持する方法であればこれらに限定するものではない。すなわち、複数のセル間で共通の基準点（周波数、サブキャリア）を用いて、干渉波成分の相関結果が上式（７）の exp{-j2π(m_a-m_b)Δ/N} x Const とできる方法なら何でもよい。
【０１２７】
また、上記実施の形態３に示した式（１３）において、図２８Ａ、図２８Ｂ、図２９Ａ及び図２９Ｂに示すように、ZC系列のｋインデックス係数（Ｃｋで表記）をサブキャリアと一対一に対応させると解釈してもよい。ここで、図２８は巡回拡張（RB送信帯域：２RB）の場合を示し、基準点から１〜２３のｋインデックス係数を順に繰り返し、サブキャリアに一対一で対応させている。図２９はトランケーションの場合を示し、基準点から１〜２９のｋインデックスを順に繰り返し、サブキャリアに一対一に対応させている。なお、図２８Ａ及び図２９Ａは基準点をシステム送信帯域の一番端のサブキャリアとした場合を、また、図２８Ｂ及び図２９Ｂは基準点をシステム送信帯域の中心のサブキャリアとした場合を示している。
【０１２８】
また、図２８Ａにおいて、送信ZC系列のｋインデックス係数とサブキャリアの関係は図３０に示すようになる。つまり、ｆ０を基準点とし、ｆａをサブキャリア番号とすると、そのサブキャリアｆａのZC系列のｋインデックス係数ＣａはＣａ＝Ｃａ ｍｏｄ（２３）の関係となる（ただし、系列長Ｎ＝２３の場合）。なお、Ｃａ＝Ｃａ ｍｏｄ（Ｘ）はＣａをＸで除算した余りである。巡回シフト付加部３０１では、この関係に対応するように入力された信号に巡回シフトを施す。
【０１２９】
また、上記各実施の形態では、移動局から基地局に対してデータ及び参照信号を送信する例を挙げたが、基地局から移動局への送信の場合でも同様に適用できる。
【０１３０】
（実施の形態６）
本発明の実施の形態６に係る端末１００の構成について、図７を用いて説明する。受信ＲＦ１０２部は、アンテナ１０１を介して受信した信号にダウンコンバート、Ａ／Ｄ変換等の受信処理を施し、受信処理を施した信号を復調部１０３に出力する。復調部１０３は、受信ＲＦ部１０２から出力された信号に等化処理、復調処理を施し、これらの処理を施した信号を復号部１０４に出力する。復号部１０４は、復調部１０３から出力された信号に復号処理を施し、データ信号及び制御情報を抽出する。また、抽出された制御情報のうち、ＲＢ（Resource Block）割当情報が参照信号生成部１０８の位相回転付加部１１０及びマッピング部１１１に出力される。
【０１３１】
符号化部１０５は、送信データを符号化し、符号化データを変調部１０６に出力する。変調部１０６は、符号化部１０５から出力された符号化データを変調し、変調信号をＲＢ割当部１０７に出力する。ＲＢ割当部１０７は、変調部１０６から出力された変調信号をＲＢに割り当て、ＲＢに割り当てた変調信号を多重化部１１４に出力する。
【０１３２】
参照信号生成部１０８は、ＤＦＴ部１０９、位相回転付加部１１０、マッピング部１１１、ＩＦＦＴ部１１２、巡回シフト部１１３を備えており、復号部１０４から出力されたＲＢ割当情報に基づいて、ZC系列から参照信号を生成し、生成した参照信号を多重化部１１４に出力する。以下、参照信号生成部１０８の内部構成について説明する。
【０１３３】
ＤＦＴ部１０９は、ZC系列を生成するZC系列生成部（図示せぬ）から出力されたZC系列にＤＦＴ処理を施し、時間領域から周波数領域の信号に変換し、周波数領域に変換したZC系列を位相回転付加部１１０に出力する。ここで、図示せぬＺＣ系列生成部は、復号部１０４で抽出された制御情報のうち、RB割当情報を用いて送信帯域幅を特定し、送信帯域幅に対応するZC系列長Ｎを特定する。また、復号部１０４で抽出された制御情報のうち、所属するセルに割り当てられた系列番号を表す情報を用いて系列番号ｕを特定する。これらの系列長Ｎ及び系列番号ｕを用いて、ZC系列生成部はZC系列を生成し、ＤＦＴ部１０９に出力する。
【０１３４】
位相回転付加部１１０は、システム帯域内で便宜的に定めた周波数を基準点としたとき、基準点と参照信号の送信帯域との周波数差δに相当する位相回転をＤＦＴ部１０９から出力されたZC系列に付加し、位相回転を付加したZC系列をマッピング部１１１に出力する。
【０１３５】
マッピング部１１１は、復号部１０４から出力されたRB割当情報に基づいて、位相回転付加部１１０から出力されたZC系列を端末１００の送信帯域に対応した帯域にマッピングし、マッピングしたZC系列をＩＦＦＴ部１１２に出力する。ＩＦＦＴ部１１２は、マッピング部１１１から出力されたZC系列にＩＦＦＴ（Inverse Fast Fourier Transform）処理を施し、ＩＦＦＴ処理を施したZC系列を巡回シフト部１１３に出力する。
【０１３６】
巡回シフト部１１３は、ＩＦＦＴ部１１２から出力されたＺＣ系列を所定のシフト量分巡回シフトし、巡回シフトしたＺＣ系列を参照信号として多重化部１１４に出力する。シフト量は、例えば、基地局から通知される制御情報を用いて特定する。
【０１３７】
多重化部１１４は、ＲＢ割当部１０７から出力された送信データ（変調信号）と巡回シフト部１１３から出力されたＺＣ系列（参照信号）とを時間多重し、多重信号を送信ＲＦ部１１５に出力する。なお、多重化部１１４における多重化方法は、時間多重に限らず、周波数多重、符号多重、複素空間上のＩＱ多重であってもよい。
【０１３８】
送信ＲＦ部１１５は、多重化部１１４から出力された多重信号にＤ／Ａ変換、アップコンバート、増幅等の送信処理を施し、送信処理を施した信号をアンテナ１０１から無線送信する。
【０１３９】
ここで、参照信号生成部１０８においてZC系列に位相回転を付加する理由について説明する。まず、図８に示すように、ZC系列の送信帯域を基準点からδサブキャリア離れた位置とすると、基準点を考慮したZC系列は周波数領域において以下の式（２９）で表される。
【数２９】
2008136184.tif 000110
【０１４０】
上式（２９）において、Ｎは系列長（素数）であり、ｋはサブキャリア番号（ｋ＝０，１，２，．．．，Ｎ−１）である。また、上式（２９）において、右辺の第１項は送信帯域を考慮しないZC系列（式（４）で表したＦｕ，ｍ（ｋ））を表し、ピーク位置は初期設定の巡回シフト量に対応して決定される。また、第２項はサブキャリアｋに依存しない定数項であり、ピーク位置を移動させる要素ではない。さらに、第３項は送信帯域に依存する位相回転の項であり、この第３項によって、相関演算で利用する自セルのＺＣ系列の要素と、隣接セルのＺＣ系列の要素とが、異なる帯域に割り当られる場合でも、これらのＺＣ系列を同じ関係に保つことができる。なお、第３項の位相回転項は自端末の送信帯域、系列番号、系列長に依存するものであり、他の端末の送信帯域等に依存するものではない。つまり、端末は上式（２９）における右辺の第１項及び第３項を送信すればよい。例えば、以下の式（３０）のように第１項に第３項の位相回転を付加して送信する。
【数３０】
2008136184.tif 000111
【０１４１】
なお、上式（２９）の右辺の定数項（第２項）を付加して送信してもよい。また、付加する定数項は上記に限定する必要はない。また、基準点と端末から送信する参照信号の送信帯域との周波数差δに相当するδを利用して、式（４）の左辺のｋにｋ＋δを代入して送信してもよい。
【０１４２】
次に、本発明の実施の形態６に係る基地局１５０の構成について、図９を用いて説明する。符号化部１５１は、送信データ及び制御信号を符号化し、符号化データを変調部１５２に出力する。変調部１５２は、符号化データを変調し、変調信号を送信ＲＦ部１５３に出力する。送信ＲＦ部１５３は、変調信号にＤ／Ａ変換、アップコンバート、増幅等の送信処理を施し、送信処理を施した信号をアンテナ１５４から無線送信する。
【０１４３】
受信ＲＦ部１５５は、アンテナ１５４を介して受信した信号にダウンコンバート、Ａ／Ｄ変換等の受信処理を施し、受信処理を施した信号を分離部１５６に出力する。
【０１４４】
分離部１５６は、受信ＲＦ部１５５から出力された信号を参照信号と、データ信号及び制御信号とに分離し、分離した参照信号をＤＦＴ（Discrete Fourier Transform）部１５７に、データ信号及び制御信号をＤＦＴ部１６４にそれぞれ出力する。
【０１４５】
ＤＦＴ部１５７は、分離部１５６から出力された参照信号にＤＦＴ処理を施し、時間領域から周波数領域の信号に変換し、周波数領域に変換した参照信号を伝搬路推定部１５８のデマッピング部１５９に出力する。
【０１４６】
伝搬路推定部１５８は、デマッピング部１５９、除算部１６０、ＩＦＦＴ（Inverse Fast Fourier Transform）部１６１、マスク処理部１６２、ＤＦＴ部１６３を備え、ＤＦＴ部１５７から出力された参照信号に基づいて、伝搬路を推定する。以下、伝搬路推定部１５８の内部構成について具体的に説明する。
【０１４７】
デマッピング部１５９は、ＤＦＴ部１５７から出力された信号から各端末の送信帯域に対応した部分を抽出し、抽出した各信号を除算部１６０に出力する。
【０１４８】
除算部１６０は、基準点と送信帯域との周波数差δに相当する位相回転が加えられたZC系列を用いて、デマッピング部１５９から出力された信号を除算し、除算結果（相関値）をＩＦＦＴ部１６１に出力する。ＩＦＦＴ部１６１は、除算部１６０から出力された信号にＩＦＦＴ処理を施し、ＩＦＦＴ処理を施した信号をマスク処理部１６２に出力する。
【０１４９】
抽出手段としてのマスク処理部１６２は、ＩＦＦＴ部１６１から出力された信号にマスク処理を施すことにより、所望の系列の相関値が存在する区間（検出窓）の相関値を抽出し、抽出した相関値をＤＦＴ部１６３に出力する。
【０１５０】
ＤＦＴ部１６３は、マスク処理部１６２から出力された相関値にＤＦＴ処理を施し、ＤＦＴ処理を施した相関値を周波数領域等化部１６６に出力する。なお、ＤＦＴ部１６３から出力された信号は、伝搬路の周波数応答を表すものである。
【０１５１】
ＤＦＴ部１６４は、分離部１５６から出力されたデータ信号及び制御信号にＤＦＴ処理を施し、時間領域から周波数領域の信号に変換し、周波数領域に変換したデータ信号及び制御信号をデマッピング部１６５に出力する。
【０１５２】
デマッピング部１６５は、ＤＦＴ部１６４から出力された信号から各端末の送信帯域に対応した部分のデータ信号及び制御信号が抽出され、抽出された各信号を周波数領域等化部１６６に出力する。
【０１５３】
周波数領域等化部１６６は、伝搬路推定部１５８内のＤＦＴ部１６３から出力された信号（伝搬路の周波数応答）を用いて、デマッピング部１６５から出力されたデータ信号及び制御信号に等化処理を施し、等化処理を施した信号をＩＦＦＴ部１６７に出力する。
【０１５４】
ＩＦＦＴ部１６７は、周波数領域等化部１６６から出力されたデータ信号及び制御信号にＩＦＦＴ処理を施し、ＩＦＦＴ処理を施した信号を復調部１６８に出力する。復調部１６８は、ＩＦＦＴ処理が施された信号に復調処理を施し、復調処理を施した信号を復号部１６９に出力する。復号部１６９は、復調処理が施された信号に復号処理を施し、受信データを抽出する。
【０１５５】
ここで、伝搬路推定部１５８における除算部１６０について式を用いて説明する。例えば、図１０に示すように、希望波（式（２９）でｕ１，Ｎ１が利用されるZC系列）がセル＃１から送信され、干渉波（式（２９）でｕ２，Ｎ２が利用されるZC系列）がセル＃２から送信され、これらが合成されて基地局で受信される場合を想定する。このとき、干渉波のZC系列（ｕ２，Ｎ２）を除算部で希望波のZC系列（ｕ１，Ｎ１）で除算処理を行うと、相互相関が高い組み合わせ、つまり、ｕ１／Ｎ１≒ｕ２／Ｎ２≒ｕ／Ｎの関係を満たしている場合には、除算部１６０における干渉波の周波数応答は以下の式（３１）で表される。
【数３１】
2008136184.tif 000112
【０１５６】
上式（３１）において、右辺第２項はサブキャリアに依存する項ではないため、干渉波ピークの位置に無関係であるが、右辺第１項によって、干渉波ピークを希望波ピークから時間領域において（ｍ２−ｍ１）Δサンプル離れた位置に発生させることができる。これにより、図１１に示すように、干渉波ピークを希望波の検出窓外に発生させることができ、自セルの信号を分離することができるので、チャネル推定精度を向上させることができる。
【０１５７】
このように実施の形態６によれば、基準となる周波数を設定し、この周波数を基準点として、基準点と参照信号の送信帯域の周波数差δに相当する位相回転を周波数領域においてZC系列に与えることにより、受信側において、隣接セルからの干渉波ピークを希望波ピークの検出窓外に発生させることができ、自セルの信号を分離することができるので、チャネル推定精度を向上させることができる。換言すれば、各端末は送信帯域及び送信帯域幅に応じてZC系列を用いて参照信号を生成及び送信し、基地局は、各端末から送信される送信帯域及び送信帯域幅に応じたZC系列を用いて除算処理を行うことにより、隣接セルからの干渉波ピークと希望波ピークが異なる検出窓に現れるようにすることができる。
【０１５８】
また、本実施の形態では、端末１００における参照信号生成部１０８を図７に示すものとして説明したが、図１５Ａ及び図１５Ｂに示すような構成でもよい。図１５Ａに示す位相回転部は、初期設定の巡回シフト系列に対応する位相回転量を各サブキャリアに割り当てる。すなわち、割り当てられた巡回シフト系列を生成するための巡回シフトを時間領域では行わず、周波数領域で巡回シフト量に対応する位相回転量分の位相回転を行う。なお、位相回転付加部と位相回転部は２つに分かれて個別に位相回転を行う構成でなくてもよい。例えば、１つの位相回転部において、巡回シフト量に対応する位相回転量と、基準点と参照信号の送信帯域の周波数差δに相当する位相回転量とを合わせて周波数領域で位相回転を行う構成としてもよい。また、位相回転付加部と位相回転部の順番が入れ替わっていてもよい。また、図１５Ｂに示すように、周波数領域に変換する前に所定の巡回シフト量でZC系列に巡回シフトを行う構成としてもよい。これらの構成でも干渉波ピークを希望波ピークの検出窓外に発生させることができる。
【０１５９】
また、上記説明ではZC系列を時間領域において生成する場合について説明したが、これに限るものではなく、周波数領域においてZC系列を生成してもよい。すなわち、ZC系列生成部で周波数領域におけるZC系列を生成し、生成した周波数領域におけるZC系列に対して、位相回転部は基準点と参照信号の送信帯域との周波数差δに相当する位相回転を行う構成であってもよい。なお、これらの構成に限定するものではない。
【０１６０】
（実施の形態７）
実施の形態６では、フレーム同期が確立した全てのセル及び各端末の送信帯域幅に対して基準点を設定し、基準点と参照信号の送信帯域の周波数差δに相当する位相回転を周波数領域においてZC系列に与える場合について説明したが、本発明の実施の形態７では、基準点と参照信号の送信帯域の周波数差δに相当する巡回シフトを時間領域においてZC系列に与える場合について説明する。なお、本発明の実施の形態７に係る基地局の構成は、実施の形態６の図９に示した構成と同様であるので、その詳細な説明は省略する。
【０１６１】
本発明の実施の形態７に係る端末２００の構成について、図１４を用いて説明する。図１４が図７と異なる点は、位相回転付加部１１０を削除し、巡回シフト付加部２０１を追加した点である。
【０１６２】
巡回シフト付加部２０１は、基準点と参照信号の送信帯域との周波数差δに相当する巡回シフトをZC系列に付加し、巡回シフトを付加したZC系列をＤＦＴ部１０９に出力する。以下、巡回シフト付加部２０１の処理について、式を用いて説明する。
【０１６３】
まず、一般的に、時間領域におけるZC系列は以下の式（３２）によって表される。
【数３２】
2008136184.tif 000113
式（３２）において、Ｎは系列長を、ｒは時間領域のZC系列番号をそれぞれ表し、Ｎとｒは互いに素である。また、ｍは巡回シフト番号を、Δは巡回シフト量をそれぞれ表す。
【０１６４】
式（３２）を時間領域に変換すると、以下の式（３３）によって表される。ただし、Ｃｏｎｓｔは定数項を表す。
【数３３】
2008136184.tif 000114
【０１６５】
式（３３）は、式（３２）のZC系列に基準点と参照信号の送信帯域の周波数差δに相当する巡回シフトを時間領域において加えたものに相当する。よって、巡回シフト付加部２０１は、式（３２）のZC系列に巡回シフト（−ｕδ）を時間領域において付加する。
【０１６６】
このように実施の形態７によれば、基準点と参照信号の送信帯域の周波数差δに相当する巡回シフトを時間領域においてZC系列に与えることにより、受信側において、隣接セルからの干渉波ピークを希望波ピークの検出窓外に発生させることができ、自セルの信号を分離することができるので、チャネル推定精度を向上させることができる。
【０１６７】
なお、本実施の形態では、端末２００における参照信号生成部１０８を図１４に示すものとして説明したが、図１５Ａ〜Ｃに示すような構成でもよい。図１５Ａは、巡回シフト付加部および巡回シフト部をＤＦＴ部の前段に配置し、巡回シフト付加部において基準点と参照信号の送信帯域の周波数差δに相当する巡回シフトをZC系列に対して時間領域で与える構成である。なお、巡回シフト付加部と巡回シフト部は２つに分かれて個別に巡回シフトを行う構成でなくてもよい。例えば、１つの巡回シフト部として、巡回シフト量に対応する巡回シフト量と、基準点と参照信号の送信帯域の周波数差δに相当する巡回シフト量とを合わせて時間領域で巡回シフトを行う構成としてもよい。
【０１６８】
また、図１５Ｂに示すように、巡回シフト部及び巡回シフト付加部をＩＦＦＴ部の後段に配置する構成、及び図１５Ｃに示すように、巡回シフト部をＤＦＴ部の前段、巡回シフト付加部をＩＦＦＴ部の後段に配置する構成でもよい。また、巡回シフト付加部をＤＦＴ部の前段、巡回シフト部をＩＦＦＴ部の後段に配置する構成でもよい。なお、巡回シフト付加部をＩＦＦＴ部の後段に配置する場合は、入力信号に対して周波数差δに相当する巡回シフトをオーバーサンプリングに対応した巡回シフト量に変更して時間領域で付加する。なお、上記の構成において巡回シフト付加部と巡回シフト部の順番が入れ替わっていてもよい。これらの構成でも、干渉波ピークを希望波ピークの検出窓外に発生させることができる。
【０１６９】
（実施の形態８）
本発明の実施の形態８では、基準点と参照信号の送信帯域の周波数差δに相当する巡回シフトを周波数領域においてZC系列に与える場合について説明する。なお、本発明の実施の形態８に係る基地局の構成は、実施の形態６の図９に示した構成と同様であるので、その詳細な説明は省略する。
【０１７０】
本発明の実施の形態８に係る端末３００の構成について、図１６を用いて説明する。図１６が図７と異なる点は、位相回転付加部１１０を巡回シフト付加部３０１に変更した点である。
【０１７１】
巡回シフト付加部３０１は、基準点と参照信号の送信帯域との周波数差δに相当する巡回シフトをＤＦＴ部１０９から出力されたZC系列に付加し、巡回シフトを付加したZC系列をマッピング部１１１に出力する。
【０１７２】
ここで、上式（４）を変換すると、以下の式（３４）が導かれる。
【数３４】
2008136184.tif 000115
【０１７３】
上式（３４）は、上式（４）で表されるZC系列に周波数差δに相当する巡回シフト量を周波数領域において与えたものに相当する。つまり、上式（４）に周波数差δに相当する巡回シフト量を付加したものを送信すればよい。なお、巡回シフト付加部３０１は、ZC系列に巡回シフト（δ）を周波数領域において付加する。
【０１７４】
このように実施の形態８によれば、基準点と参照信号の送信帯域の周波数差δに相当する巡回シフトを周波数領域においてZC系列に与えることにより、受信側において、隣接セルからの干渉波ピークを希望波ピークの検出窓外に発生させることができ、自セルの信号を分離することができるので、チャネル推定精度を向上させることができる。
【０１７５】
（実施の形態９）
本発明の実施の形態９では、基準点と参照信号の送信帯域の周波数差δに相当する位相回転を時間領域においてZC系列に与える場合について説明する。なお、本発明の実施の形態９に係る基地局の構成は、実施の形態７の図９に示した構成と同様であるので、その詳細な説明は省略する。
【０１７６】
本発明の実施の形態９に係る端末４００の構成について、図１７を用いて説明する。図１７が図１４と異なる点は、巡回シフト付加部２０１を位相回転付加部４０１に変更した点である。
【０１７７】
位相回転付加部４０１は、基準点と参照信号の送信帯域との周波数差δに相当する位相回転をZC系列に付加し、位相回転を付加したZC系列をＤＦＴ部１０９に出力する。
【０１７８】
ここで、実施の形態８に示した式（３４）を変換すると、以下の式（３５）が導かれる。
【数３５】
2008136184.tif 000116
【０１７９】
上式（３５）は、ZC系列に周波数差δに相当する位相回転を時間領域において与えたものである。よって、位相回転付加部４０１は、周波数差δに相当する位相回転を時間領域においてZC系列に付加する。つまり、以下の式（３６）のように上式（３２）のZC系列に時間領域で位相回転を付加して送信する。
【数３６】
2008136184.tif 000117
【０１８０】
このように実施の形態９によれば、基準点と参照信号の送信帯域の周波数差δに相当する位相回転を時間領域においてZC系列に与えることにより、受信側において、隣接セルからの干渉波ピークを希望波ピークの検出窓外に発生させることができ、自セルの信号を分離することができるので、チャネル推定精度を向上させることができる。
【０１８１】
なお、上記各実施の形態では、同一系列長のｕ１／Ｎ１＝ｕ２／Ｎ２においても、チャネル推定精度を改善することができる。例えば、フレーム同期が確立する複数のセルで同一系列長の同一系列番号が用いられ、各セルにおいて異なる巡回シフト系列が用いられる場合を想定すると、基地局はセル毎に個別のスケジューリングを行い各端末に周波数リソースを割り当てるため、図２６に示すように、隣接セルにおいて異なる送信帯域でZC系列が送信される可能性が高い。その結果、干渉波ピークは異なる位置に発生し、このピークが所望波の検出窓内に移動した場合にはチャネル推定精度が劣化する。このような場合においても、上記各実施の形態を用いることにより、干渉波ピークが所望波の検出窓内に発生しないので、チャネル推定精度を向上させることができる。
【０１８２】
また、上記各実施の形態では、フレーム同期が確立した全てのセルで同一の基準を設定する場合について説明したが、本発明はこれに限らず、フレーム同期が確立しないセルで同じ基準を設定してもよい。また、各端末がサポートする最小送信帯域幅等にかかわらず、フレーム同期が確立する全てのセル及び各送信帯域幅で同一の基準点を設定してもよい。
【０１８３】
この基準点としては、図２７Ａに示すように、基準点をシステム送信帯域幅内のＤＣ成分サブキャリアとしてもよいし、図２７Ｂに示すように、システム送信帯域幅（例えば、２０ＭＨｚ）の一番端のサブキャリとしてもよい。なお、この場合、システム送信帯域（２０ＭＨｚ）をサポートしていない端末も基準点をシステム送信帯域幅（２０ＭＨＺ）の一番端のサブキャリアとする。
【０１８４】
また、上記各実施の形態では、フレーム同期が確立しているセル間（例えば、同一基地局に属するセル）に同一系列番号（ｕ）の異なる巡回シフト系列（ｍ）を割り当てる方法と、相互相関が高い系列を同一セルに割り当てるグルーピング方法とを組み合わせた場合について説明したが、本発明はこれに限らず、フレーム同期が確立したセル内において、相互相関の高い系列番号が用いられる場合にも適用することができる。
【０１８５】
また、上記各実施の形態における基準点と送信帯域の周波数差δに相当する位相回転又は巡回シフトは、ZC系列におけるｑｋの項に設定してもよい。具体的には、上記実施の形態において付加した位相回転の項を上式（４）のｑｋの項として、以下の式（３７）で表される。
【数３７】
2008136184.tif 000118
なお、ZC系列を適当なｑｋで生成後に実施の形態５〜９に示した位相回転又は巡回シフトを加えてもよいし、ZC生成時にｑｋに実施の形態５〜９に示した位相回転又は巡回シフトを加えてもよい。また、ZC系列は以下の式（３８）で表されてもよい。
【数３８】
2008136184.tif 000119
また、上式（３５）は、以下の式（３９）で用いられてもよい。
【数３９】
2008136184.tif 000120
【０１８６】
上式のように、上記各実施の形態において、端末は、参照信号生成部においてZC系列で表される参照信号を生成する。生成される参照信号は、送信帯域幅に応じて特定される系列長Ｎ、各セルに割り当てられた系列番号（周波数領域における系列番号ｕ若しくは時間領域における系列番号ｒ）、各セルに割り当てられた巡回シフト量Δｍ、送信帯域に応じて特定されるδ、の４つの変数によって表されるZC系列となる。このように、各端末は、送信帯域幅（系列長）、送信帯域（基準点からの周波数差）、系列番号、巡回シフト量を用いてZC系列を生成することにより、他端末から送信される参照信号との相対関係を一定に保つことができるため、基地局におけるチャネル推定精度を向上させることができる。
【０１８７】
また、上式（４）は以下の式（４０）で表されることもある。
【数４０】
2008136184.tif 000121
この場合、上式（２９）は以下の式（４１）で表される。
【数４１】
2008136184.tif 000122
つまり、実施の形態６の場合には、上式（４０）に位相回転が付加されて送信される。
【数４２】
2008136184.tif 000123
なお、上式（３２）及び上式（３３）は以下の式（４３）、式（４４）で表され、式（４３）のZC系列に巡回シフト（−ｕδ）を時間領域において付加して送信される。
【数４３】
2008136184.tif 000124
【数４４】
2008136184.tif 000125
なお、上式（３４）は以下の式（４５）で表され、上式（４０）のZC系列に巡回シフト（δ）を周波数領域において付加して送信される。
【数４５】
2008136184.tif 000126
なお、上式（３５）は以下の式（４６）で表され、式（４７）のように上式（４３）に位相回転が付加されて送信される。
【数４６】
2008136184.tif 000127
【数４７】
2008136184.tif 000128
【０１８８】
なお、上記各実施の形態では、本発明をハードウェアで構成する場合を例にとって説明したが、本発明はソフトウェアで実現することも可能である。
【０１８９】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１９０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１９１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１９２】
２００７年４月２６日出願の特願２００７−１１７４６８及び２００７年６月１９日出願の特願２００７−１６１９５７の日本出願に含まれる明細書、図面及び要約書の開示内容は、すべて本願に援用される。
【産業上の利用可能性】
【０１９３】
本発明にかかる無線通信端末装置、無線通信基地局装置及び無線通信方法は、干渉波ピークが自セルに割り当てられた巡回シフト系列の検出窓に入ることを防止し、基地局におけるチャネル推定精度を向上させることができ、例えば、移動通信システム等に適用できる。
【図面の簡単な説明】
【０１９４】
【図１】参照信号に利用可能なZC系列を示す図
【図２】同一系列番号の異なる巡回シフト系列を割り当てる様子を示す図
【図３】巡回シフト番号に応じた検出範囲及び自セルの信号を受信信号から分離する様子を示す図
【図４】非特許文献３及び非特許文献４に記載された系列のグルーピング方法を示す図
【図５】同期が確立したセルにおいて、相互相関の高い系列番号を割り当てる方法を説明するための図
【図６】干渉波ピークが自セルに割り当てられた巡回シフト系列の検出窓に発生する様子を示す図
【図７】本発明の実施の形態１及び６に係る端末の構成を示すブロック図
【図８】基準点からδサブキャリア離れたZC系列の送信帯域を示す図
【図９】本発明の実施の形態１及び６に係る基地局の構成を示すブロック図
【図１０】希望波がセル＃１から送信され、干渉波がセル＃２から送信される様子を示す図
【図１１】干渉波ピークを希望波の検出窓外に発生させる様子を示す図
【図１２】希望波及び干渉波の割当位置を示す図
【図１３】図７に示した参照信号生成部の他の内部構成を示すブロック図
【図１４】本発明の実施の形態２及び７に係る端末の構成を示すブロック図
【図１５】図１４に示した参照信号生成部の他の内部構成を示すブロック図
【図１６】本発明の実施の形態３及び８に係る端末の構成を示すブロック図
【図１７】本発明の実施の形態４及び９に係る端末の構成を示すブロック図
【図１８】巡回拡張の説明図
【図１９】実施の形態１の巡回拡張部及びトランケーション部を含めたブロック図
【図２０】実施の形態１の巡回拡張部及びトランケーション部を含めたブロック図
【図２１】トランケーションの説明図
【図２２】実施の形態２の巡回拡張部及びトランケーション部を含めたブロック図
【図２３】実施の形態３の巡回拡張部及びトランケーション部を含めたブロック図
【図２４】実施の形態３の巡回拡張部及びトランケーション部を含めたブロック図
【図２５】実施の形態４の巡回拡張部及びトランケーション部を含めたブロック図
【図２６】各セルにおいて異なる巡回シフト系列が用いられる場合、隣接セルにおいて異なる送信帯域でZC系列が送信される様子を示す図
【図２７】フレーム同期が確立する全てのセル及び各送信帯域幅で設定する同一の基準点を示す図
【図２８Ａ】実施の形態３における巡回拡張を示す図
【図２８Ｂ】実施の形態３における巡回拡張を示す図
【図２９Ａ】実施の形態３におけるトランケーションを示す図
【図２９Ｂ】実施の形態３におけるトランケーションを示す図
【図３０】送信するZC系列の係数とサブキャリアとの関係を示す図
【手続補正３】
【補正対象書類名】図面
【補正対象項目名】全図
【補正方法】変更
【補正の内容】
【図１】
2008136184.tif 000129
【図２】
2008136184.tif 000130
【図３】
2008136184.tif 000131
【図４】
2008136184.tif 000132
【図５】
2008136184.tif 000133
【図６】
2008136184.tif 000134
【図７】
2008136184.tif 000135
【図８】
2008136184.tif 000136
【図９】
2008136184.tif 000137
【図１０】
2008136184.tif 000138
【図１１】
2008136184.tif 000139
【図１２】
2008136184.tif 000140
【図１３】
2008136184.tif 000141
【図１４】
2008136184.tif 000142
【図１５】
2008136184.tif 000143
【図１６】
2008136184.tif 000144
【図１７】
2008136184.tif 000145
【図１８】
2008136184.tif 000146
【図１９】
2008136184.tif 000147
【図２０】
2008136184.tif 000148
【図２１】
2008136184.tif 000149
【図２２】
2008136184.tif 000150
【図２３】
2008136184.tif 000151
【図２４】
2008136184.tif 000152
【図２５】
2008136184.tif 000153
【図２６】
2008136184.tif 000154
【図２７】
2008136184.tif 000155
【図２８Ａ】
2008136184.tif 000156
【図２８Ｂ】
2008136184.tif 000157
【図２９Ａ】
2008136184.tif 000158
【図２９Ｂ】
2008136184.tif 000159
【図３０】
2008136184.tif 000160
【国際調査報告】
2008136184.tif 000161
2008136184.tif 000162
2008136184.tif 000163
2008136184.tif 000164